(57)【要約】【課題】デジタルサイネージによる情報提供の効果を向上させることが可能なデジタルサイネージ制御装置等を提供する。【解決手段】所定の道路の周辺に設置されるデジタルサイネージに情報を表示させる表示制御部と、乗員がデジタルサイネージを視認可能な道路上の所定範囲内に位置する対象車両を検出する対象車両検出部と、対象車両の乗員がデジタルサイネージの情報を視認する頻度に関する視認頻度情報を取得する視認頻度情報取得部と、を備え、表示制御部は、視認頻度情報に応じて、デジタルサイネージに表示させる情報の内容を変化させる。【選択図】図５
2019035615.tif 000002
【特許請求の範囲】
【請求項１】
所定の道路の周辺に設置されるデジタルサイネージに情報を表示させる表示制御部と、
乗員が前記デジタルサイネージを視認可能な前記道路上の所定範囲内に位置する対象車両を検出する対象車両検出部と、
前記対象車両の乗員が前記デジタルサイネージの情報を視認する頻度に関する視認頻度情報を取得する視認頻度情報取得部と、を備え、
前記表示制御部は、前記視認頻度情報に応じて、前記デジタルサイネージに表示させる情報の内容を変化させる、
デジタルサイネージ制御装置。
【請求項２】
前記対象車両又は前記対象車両に乗車中の対象乗員が所持する携帯端末から、位置情報を含む移動履歴情報を収集する移動履歴情報収集部を更に備え、
前記視認頻度情報取得部は、前記視認頻度情報として、前記移動履歴情報に基づき特定される、前記対象車両が前記デジタルサイネージの近傍を通過した通過回数、又は、前記対象乗員が車両に乗車して前記デジタルサイネージの近傍を通過した通過回数を取得し、
前記表示制御部は、前記視認頻度情報取得部により取得される通過回数に応じて、前記デジタルサイネージに表示させる情報の内容を変化させる、
請求項１に記載のデジタルサイネージ制御装置。
【請求項３】
前記対象車両が前記デジタルサイネージの近傍を通過したときに、前記デジタルサイネージの内容を前記対象車両に乗車していた乗員が把握できる状況であったか否か、又は、前記対象乗員の乗車していた車両が前記デジタルサイネージの近傍を通過したときに、前記デジタルサイネージの内容を前記対象乗員が把握できる状況であったか否か、を判定する可否判定部を更に備え、
前記視認頻度情報取得部は、前記対象車両が前記デジタルサイネージの近傍を通過した全体の通過回数のうちの、前記可否判定部による判定結果が可判定に該当する状況で、前記対象車両が前記デジタルサイネージの近傍を通過した通過回数、又は、前記対象乗員が車両に乗車して前記対象車両の近傍を通過した全体の通過回数のうちの、前記可否判定部による判定結果が可判定に該当する状況で、前記対象乗員の乗車していた車両が前記デジタルサイネージの近傍を通過した通過回数を取得する、
請求項２に記載のデジタルサイネージ制御装置。
【請求項４】
前記可否判定部は、前記対象車両又は前記対象乗員の乗車していた車両が前記デジタルサイネージの近傍を通過したときに、前記対象車両又は前記対象乗員が乗車していた車両の車速が所定速度以上であった場合、前記対象車両に乗車していた乗員又は前記対象乗員から前記デジタルサイネージを見たときに逆光状態であった場合、又は、前記デジタルサイネージの周辺が所定の悪天候であった場合、前記対象車両に乗車していた乗員又は前記対象乗員が、前記デジタルサイネージの内容を把握できる状況でなかったと判定する、
請求項３に記載のデジタルサイネージ制御装置。
【請求項５】
前記表示制御部は、前記視認頻度情報取得部により取得される通過回数が相対的に少ない場合、所定の対象に関連する基本情報と前記所定の対象に関連する場所の位置案内情報とを表示させ、前記前記視認頻度情報取得部により取得される通過回数が相対的に多い場合、前記基本情報と、前記対象に関連する詳細情報、補足情報、及び最新情報うちの少なくとも一つとを前記デジタルサイネージに表示させる、
請求項２乃至４の何れか一項に記載のデジタルサイネージ制御装置。
【請求項６】
前記デジタルサイネージに表示される候補となる複数の候補情報が予め規定されると共に、前記複数の候補情報には、それぞれ、優先度が予め規定され、
前記表示制御部は、前記視認頻度情報取得部により取得される通過回数が相対的に少ない場合、前記複数の候補情報のうちの前記優先度が相対的に高い候補情報を前記デジタルサイネージに表示させ、前記視認頻度情報取得部により取得される通過回数が相対的に多い場合、前記複数の候補情報のうちの前記優先度が相対的に低い候補情報の候補情報を前記デジタルサイネージに表示させる、
請求項２乃至４の何れか一項に記載のデジタルサイネージ制御装置。
【請求項７】
前記視認頻度情報取得部は、前記視認頻度情報として、前記対象車両の所有者又は前記対象車両に乗車中の対象乗員が前記デジタルサイネージの設置位置を含む所定のエリアの居住者か否かに関する属性情報を取得し、
前記表示制御部は、前記属性情報に基づき、前記所有者又は前記対象乗員が前記エリア内の居住者である場合と、前記エリア内の居住者でない場合とで、前記デジタルサイネージに表示させる情報の内容を異ならせる、
請求項１に記載のデジタルサイネージ制御装置。
【請求項８】
前記対象車両又は前記対象車両に乗車中の対象乗員が所持する携帯端末から位置情報を含む移動履歴情報を収集する移動履歴情報収集部と、
前記移動履歴情報に基づき生成される、前記対象車両又は前記対象乗員が前記デジタルサイネージに表示される情報における所定の対象に関連する場所を訪問した訪問履歴に関する訪問履歴情報を取得する訪問履歴情報取得部と、を更に備え、
前記表示制御部は、前記訪問履歴情報に基づき、前記デジタルサイネージに表示させる情報の内容を変化させる、
請求項１に記載のデジタルサイネージ制御装置。
【請求項９】
前記訪問履歴情報取得部は、前記訪問履歴情報として、前記対象車両又は前記対象乗員が前記場所を訪問したことがあるか否かに関する情報を取得し、
前記表示制御部は、前記訪問履歴情報により前記対象車両又は前記対象乗員が前記場所を訪問したことがない旨が示される場合、前記所定の対象に関連する基本情報と前記場所に関する位置案内情報とを前記デジタルサイネージに表示させ、前記訪問履歴情報により前記対象車両又は前記対象乗員が前記場所を訪問したことがある旨が示される場合、前記基本情報と、前記所定の対象に関連する詳細情報、補足情報、及び最新情報のうちの少なくとも一つとを前記デジタルサイネージに表示させる、
請求項８に記載のデジタルサイネージ制御装置。
【請求項１０】
前記訪問履歴情報取得部は、前記訪問履歴情報として、前記対象車両又は前記対象乗員が前記場所を訪問したことがあるか否かに関する情報を取得し、
前記表示制御部は、予め規定される複数の候補情報のうち、前記訪問履歴情報により前記対象車両又は前記対象乗員が訪問したことがない旨が示される場所に関連する候補情報を前記デジタルサイネージに表示させる、
請求項８に記載のデジタルサイネージ制御装置。
【請求項１１】
デジタルサイネージ制御装置により実行されるデジタルサイネージ制御方法であって、
所定の道路の周辺に設置されるデジタルサイネージに情報を表示させる表示制御ステップと、
乗員が前記デジタルサイネージを視認可能な前記道路上の所定範囲内に位置する対象車両を検出する対象車両検出ステップと、
前記対象車両の乗員が前記デジタルサイネージの情報を視認する頻度に関する視認頻度情報を取得する視認頻度情報取得ステップと、を含み、
前記表示制御ステップでは、前記視認頻度情報に応じて、前記デジタルサイネージに表示させる情報の内容を変化させる、
デジタルサイネージ制御方法。
【請求項１２】
コンピュータに、
所定の道路の周辺に設置されるデジタルサイネージに情報を表示させる表示制御ステップと、
乗員が前記デジタルサイネージを視認可能な前記道路上の所定範囲内に位置する対象車両を検出する対象車両検出ステップと、
前記対象車両の乗員が前記デジタルサイネージの情報を視認する頻度に関する視認頻度情報を取得する視認頻度情報取得ステップと、を実行させるプログラムであって、
前記表示制御ステップでは、前記視認頻度情報に応じて、前記デジタルサイネージに表示させる情報の内容を変化させる、
プログラム。
【請求項１３】
請求項１２に記載のプログラムを記録したコンピュータ読み取り可能な記録媒体。
【発明の詳細な説明】
【技術分野】
【０００１】
本発明は、デジタルサイネージ制御装置等に関する。
【背景技術】
【０００２】
車両に乗車している運転者を含む車両の乗員向けのデジタルサイネージが知られている（例えば、特許文献１等参照）。
【先行技術文献】
【特許文献】
【０００３】
【特許文献１】米国特許出願公開第２０１６／０１８０７０９号明細書
【発明の概要】
【発明が解決しようとする課題】
【０００４】
しかしながら、デジタルサイネージに同じ情報が継続的に表示される場合、デジタルサイネージによる車両の乗員に対する情報提供の効果が低下する可能性がある。例えば、デジタルサイネージの周辺の道路を頻繁に通過するユーザにとって、デジタルサイネージに表示される情報は既知の情報であり、情報提供の効果が低下してしまう可能性がある。
【０００５】
そこで、上記課題に鑑み、デジタルサイネージによる情報提供の効果を向上させることが可能なデジタルサイネージ制御装置等を提供することを目的とする。
【課題を解決するための手段】
【０００６】
上記目的を達成するため、本発明の一実施形態では、
所定の道路の周辺に設置されるデジタルサイネージに情報を表示させる表示制御部と、
乗員が前記デジタルサイネージを視認可能な前記道路上の所定範囲内に位置する対象車両を検出する対象車両検出部と、
前記対象車両の乗員が前記デジタルサイネージの情報を視認する頻度に関する視認頻度情報を取得する視認頻度情報取得部と、を備え、
前記表示制御部は、前記視認頻度情報に応じて、前記デジタルサイネージに表示させる情報の内容を変化させる、
デジタルサイネージ制御装置が提供される。
【０００７】
本実施形態によれば、デジタルサイネージ制御装置は、視認頻度情報に基づき、デジタルサイネージの周辺で検出された対象車両の乗員によるデジタルサイネージの情報の視認頻度を考慮して、デジタルサイネージに表示させる情報の内容を変化させることができる。従って、デジタルサイネージ制御装置は、例えば、デジタルサイネージの近傍を車両で頻繁に通過し、デジタルサイネージの情報の視認頻度が高い乗員に対して、通常表示されている情報と異なる情報を表示させるようなことができる。そのため、デジタルサイネージの情報の視認頻度が比較的高い乗員の飽きを抑制し、デジタルサイネージによる情報提供の効果を向上させることができる。
【０００８】
また、上述の実施形態において、
前記対象車両又は前記対象車両に乗車中の対象乗員が所持する携帯端末から、位置情報を含む移動履歴情報を収集する移動履歴情報収集部を更に備え、
前記視認頻度情報取得部は、前記視認頻度情報として、前記移動履歴情報に基づき特定される、前記対象車両が前記デジタルサイネージの近傍を通過した通過回数、又は、前記対象乗員が車両に乗車して前記デジタルサイネージの近傍を通過した通過回数を取得し、
前記表示制御部は、前記視認頻度情報取得部により取得される通過回数に応じて、前記デジタルサイネージに表示させる情報の内容を変化させてもよい。
【０００９】
本実施形態によれば、デジタルサイネージ制御装置は、デジタルサイネージ周辺で検出された対象車両やその乗員（対象乗員）が所持する携帯端末の移動履歴情報に基づき、対象車両等がデジタルサイネージ近傍を通過した通過回数を取得することができる。従って、デジタルサイネージ制御装置は、対象車両等がデジタルサイネージ近傍を通過した通過回数に基づき、具体的に、対象車両の乗員によるデジタルサイネージの視認頻度を考慮して、デジタルサイネージに表示される情報の内容を変化させることができる。
【００１０】
また、上述の実施形態において、
前記対象車両が前記デジタルサイネージの近傍を通過したときに、前記デジタルサイネージの内容を前記対象車両に乗車していた乗員が把握できる状況であったか否か、又は、前記対象乗員の乗車していた車両が前記デジタルサイネージの近傍を通過したときに、前記デジタルサイネージの内容を前記対象乗員が把握できる状況であったか否か、を判定する可否判定部を更に備え、
前記視認頻度情報取得部は、前記対象車両が前記デジタルサイネージの近傍を通過した全体の通過回数のうちの、前記可否判定部による判定結果が可判定に該当する状況で、前記対象車両が前記デジタルサイネージの近傍を通過した通過回数、又は、前記対象乗員が車両に乗車して前記対象車両の近傍を通過した全体の通過回数のうちの、前記可否判定部による判定結果が可判定に該当する状況で、前記対象乗員の乗車していた車両が前記デジタルサイネージの近傍を通過した通過回数を取得してもよい。
【００１１】
本実施形態によれば、デジタルサイネージ制御装置は、全体の通過回数から乗員がデジタルサイネージを視認できなかった可能性があるものを除外し、乗員が実際にデジタルサイネージの情報を視認した視認回数に相当する通過回数を取得することができる。
【００１２】
また、上述の実施形態において、
前記可否判定部は、前記対象車両又は前記対象乗員の乗車していた車両が前記デジタルサイネージの近傍を通過したときに、前記対象車両又は前記対象乗員が乗車していた車両の車速が所定速度以上であった場合、前記対象車両に乗車していた乗員又は前記対象乗員から前記デジタルサイネージを見たときに逆光状態であった場合、又は、前記デジタルサイネージの周辺が所定の悪天候であった場合、前記対象車両に乗車していた乗員又は前記対象乗員が、前記デジタルサイネージの内容を把握できる状況でなかったと判定してもよい。
【００１３】
本実施形態によれば、デジタルサイネージ制御装置は、車速が相対的に高かった場合、逆光状態であった場合、或いは、悪天候であった場合を、具体的に、デジタルサイネージの内容を把握できる状況でなかったと判定することができる。
【００１４】
また、上述の実施形態において、
前記表示制御部は、前記視認頻度情報取得部により取得される通過回数が相対的に少ない場合、所定の対象に関連する基本情報と該所定の対象に関連する場所の位置案内情報とを表示させ、前記前記視認頻度情報取得部により取得される通過回数が相対的に多い場合、前記基本情報と、前記対象に関連する詳細情報、補足情報、及び最新情報うちの少なくとも一つとを前記デジタルサイネージに表示させてもよい。
【００１５】
本実施形態によれば、デジタルサイネージ制御装置は、デジタルサイネージの視認頻度が相対的に低い乗員に対して、例えば、商品や店舗等の所定の対象に関する基本情報の他、位置案内情報を提供することができる。従って、デジタルサイネージ制御装置は、デジタルサイネージの視認頻度が相対的に低い乗員に、情報の対象と当該対象に関連する場所等の当該対象に関連する入口となる情報を知ってもらうことができる。一方、デジタルサイネージ制御装置は、デジタルサイネージの視認頻度が相対的に高い乗員に対して、基本情報の他、詳細情報、補足情報、最新情報等を提供することができる。従って、具体的に、デジタルサイネージの視認頻度が比較的高い乗員の飽きを抑制し、デジタルサイネージによる情報提供の効果を向上させることができる。
【００１６】
また、上述の実施形態において、
前記デジタルサイネージに表示される候補となる複数の候補情報が予め規定されると共に、前記複数の候補情報には、それぞれ、優先度が予め規定され、
前記表示制御部は、前記視認頻度情報取得部により取得される通過回数が相対的に少ない場合、前記複数の候補情報のうちの前記優先度が相対的に高い候補情報を前記デジタルサイネージに表示させ、前記視認頻度情報取得部により取得される通過回数が相対的に多い場合、前記複数の候補情報のうちの前記優先度が相対的に低い候補情報の候補情報を前記デジタルサイネージに表示させてもよい。
【００１７】
本実施形態によれば、デジタルサイネージ制御装置は、デジタルサイネージの視認頻度が相対的に低い乗員に対して、優先度が高い情報を提供するため、優先度が高い情報をより多くの乗員に視認させることができる。また、デジタルサイネージ制御装置は、デジタルサイネージの視認頻度が相対的に高い乗員に対して、優先度が低い情報を提供するため、当該乗員の飽きを抑制し、具体的に、デジタルサイネージによる情報提供の効果を向上させることができる。
【００１８】
また、上述の実施形態において、
前記視認頻度情報取得部は、前記視認頻度情報として、前記対象車両の所有者又は前記対象車両に乗車中の対象乗員が前記デジタルサイネージの設置位置を含む所定のエリアの居住者か否かに関する属性情報を取得し、
前記表示制御部は、前記属性情報に基づき、前記所有者又は前記対象乗員が前記エリア内の居住者である場合と、前記エリア内の居住者でない場合とで、前記デジタルサイネージに表示させる情報の内容を異ならせてもよい。
【００１９】
本実施形態によれば、デジタルサイネージ制御装置は、車両の所有者或いは乗員がデジタルサイネージの設置位置が含まれる所定のエリア内の居住者である場合、即ち、地元の住民である場合、視認頻度は比較的高いと判断することができる。一方、デジタルサイネージ制御装置は、車両の所有者や乗員が上記エリア内の居住者でない場合、即ち、他の地域から来た観光客等である場合、デジタルサイネージの視認頻度は比較的低いと判断することができる。従って、デジタルサイネージ制御装置は、具体的に、対象車両の乗員によるデジタルサイネージの視認頻度を考慮して、対象車両の所有者や乗員が上記エリア内の居住者である場合と、そうでない場合とで、デジタルサイネージに表示させる内容を異ならせることができる。
【００２０】
また、上述の実施形態において、
前記対象車両又は前記対象乗員が所持する携帯端末から位置情報を含む移動履歴情報を収集する移動履歴情報収集部と、
前記移動履歴情報に基づき生成される、前記対象車両又は前記対象乗員が前記デジタルサイネージに表示される情報における所定の対象に関連する場所を訪問した訪問履歴に関する訪問履歴情報を取得する訪問履歴情報取得部と、を更に備え、
前記表示制御部は、前記訪問履歴情報に基づき、前記デジタルサイネージに表示させる情報の内容を変化させてもよい。
【００２１】
本実施形態によれば、デジタルサイネージ制御装置は、対象車両等がデジタルサイネージに表示される情報における所定の対象に関連する場所、例えば、広告情報の対象の商品が販売される店舗や広告情報の対象施設等への訪問履歴を考慮して、デジタルサイネージに表示させる内容を変化させることができる。従って、デジタルサイネージ制御装置は、例えば、対象車両等が広告情報の対象店舗を訪問したことがない場合、対象店舗を知ってもらうためにブランド名等の基本情報や位置案内情報等の入口となる情報をデジタルサイネージに表示させることができる。一方、デジタルサイネージ制御装置は、対象車両等が広告情報の対象店舗に訪問済みである場合、更に興味を持ってもらうために、入荷情報等の付加情報を表示させることができる。そのため、デジタルサイネージの近傍を通過する車両の乗員の飽きを抑制し、デジタルサイネージによる情報提供の効果を更に向上させることができる。
【００２２】
また、上述の実施形態において、
前記訪問履歴情報取得部は、前記訪問履歴情報として、前記対象車両又は前記対象乗員が前記場所を訪問したことがあるか否かに関する情報を取得し、
前記表示制御部は、前記訪問履歴情報により前記対象車両又は前記対象乗員が前記場所を訪問したことがない旨が示される場合、前記所定の対象に関連する基本情報と前記場所に関する位置案内情報とを前記デジタルサイネージに表示させ、前記訪問履歴情報により前記対象車両又は前記対象乗員が前記場所を訪問したことがある旨が示される場合、前記基本情報と、前記所定の対象に関連する詳細情報、補足情報、及び最新情報のうちの少なくとも一つとを前記デジタルサイネージに表示させてもよい。
【００２３】
本実施形態によれば、デジタルサイネージ制御装置は、所定の対象に関連する場所に訪問したことがない乗員に対して、所定の対象に関連する基本情報と位置案内情報を提供することができる。従って、デジタルサイネージ制御装置は、デジタルサイネージに訪問したことがない乗員に、情報の対象と当該対象に関連する場所等の当該対象に関連する入口となる情報を知ってもらうことができる。一方、デジタルサイネージ制御装置は、所定の対象に関連する場所に訪問済の乗員に対して、基本情報の他、位置案内情報の代わりに、詳細情報、補足情報、最新情報等を提供することができる。従って、具体的に、デジタルサイネージに表示される情報の対象に関連する場所に訪問したことがある乗員の飽きを抑制し、デジタルサイネージによる情報提供の効果を向上させることができる。
【００２４】
また、上述の実施形態において、
前記訪問履歴情報取得部は、前記訪問履歴情報として、前記対象車両又は前記対象乗員が前記場所を訪問したことがあるか否かに関する情報を取得し、
前記表示制御部は、予め規定される複数の候補情報のうち、前記訪問履歴情報により前記対象車両又は前記対象乗員が訪問したことがない旨が示される場所に関連する候補情報を前記デジタルサイネージに表示させてもよい。
【００２５】
本実施形態によれば、デジタルサイネージ制御装置は、複数の候補情報のうち、対象車両等による訪問履歴がない場所に関連する候補情報、即ち、対象車両の乗員（対象乗員）が知らない可能性が高い候補情報をデジタルサイネージに表示させることができる。
【００２６】
また、本発明の他の実施形態は、デジタルサイネージ制御方法、プログラム、及び、該プログラムを記録したコンピュータ読み取り可能な記録媒体により実現される。
【発明の効果】
【００２７】
上述の実施形態によれば、デジタルサイネージによる情報提供の効果を向上させることが可能なデジタルサイネージ制御装置等を提供することができる。
【図面の簡単な説明】
【００２８】
【図１】第１実施形態に係る情報配信システムの構成の一例を概略的に示す図である。
【図２】第１実施形態に係る車両の機能的な構成の一例を示す機能ブロック図である。
【図３】第１実施形態に係るセンタサーバの機能的な構成の一例を示す機能ブロック図である。
【図４】広告情報を構成する複数の個別情報の一例を示す図である。
【図５】第１実施形態に係るセンタサーバによる処理の一例を概略的に示すフローチャートである。
【図６】第２実施形態に係るセンタサーバの機能的な構成の一例を示す機能ブロック図である。
【図７】第３実施形態に係るセンタサーバの機能的な構成の一例を示す機能ブロック図である。
【図８】第３実施形態に係るセンタサーバによる処理の一例を概略的に示すフローチャートである。
【図９】第４実施形態に係る情報配信システムの構成の一例を概略的に示す図である。
【図１０】第４実施形態に係る携帯端末の機能的な構成の一例を示す機能ブロック図である。
【図１１】第４実施形態に係るセンタサーバの機能的な構成の一例を示す機能ブロック図である。
【図１２】第４実施形態に係るセンタサーバによる処理の一例を概略的に示すフローチャートである。
【図１３】第５実施形態に係るセンタサーバの機能的な構成を示す機能ブロック図である。
【図１４】第５実施形態に係るセンタサーバによる処理の一例を概略的に示すフローチャートである。
【発明を実施するための形態】
【００２９】
以下、図面を参照して発明を実施するための形態について説明する。
【００３０】
＜第１実施形態＞
［情報配信システムの構成］
まず、図１〜図３を参照して、本実施形態に係る情報配信システム１の構成について説明する。
【００３１】
図１は、本実施形態に係る情報配信システム１の構成を概略的に示す図である。図２は、本実施形態に係る車両３の機能的な構成の一例を概略的に示す機能ブロック図である。図３は、センタサーバ５の機能的な構成の一例を概略的に示す機能ブロック図である。
【００３２】
情報配信システム１は、複数の車両３と、任意の道路の近傍、例えば、道路の路側や道路の真上等に設置される複数のデジタルサイネージ装置７と、複数の車両３及び複数のデジタルサイネージ装置７と通信可能に接続されるセンタサーバ５を含む。情報配信システム１は、デジタルサイネージ装置７の設置位置に隣接する道路に位置する車両３の乗員向けの広告情報を、当該デジタルサイネージ装置７に配信する。
【００３３】
尚、複数の車両３のそれぞれにおける情報配信システム１に関連する構成は、略同じである。また、複数のデジタルサイネージ装置７のそれぞれにおける情報配信システム１に関連する構成は、略同じである。そのため、図中には、そのため、図中には、一の車両３及び一のデジタルサイネージ装置７が代表的に示されている。以下、図９についても同様である。
【００３４】
車両３は、ＤＣＭ（Data Communication Module）３１と、ＥＣＵ（Electronic Control Unit）３２と、ＧＰＳ（Global Positioning System）モジュール３３と、ＡＣＣスイッチ３４と、車速センサ３５と、を含む。
【００３５】
ＤＣＭ３１は、例えば、多数の基地局を末端とする携帯電話網やインターネット網等を含む所定の通信ネットワークＮＷ１（以下、通信ネットワークＮＷ２，ＮＷ３についても同様）を通じて、センタサーバ５と双方向で通信を行う通信デバイスである。ＤＣＭ３１は、ＣＡＮ（Controller Area Network）等の車載ネットワークを通じて、ＥＣＵ３２を含む各種ＥＣＵと相互に通信可能に接続される。
【００３６】
ＥＣＵ３２は、車両３における所定の機能に関する各種制御処理を行う電子制御ユニットである。例えば、ＥＣＵ３２は、車両３の状態（車両状態）、車両３の乗員の状態、及び車両３の周辺の状態等に関する各種情報（車両情報）を取得し、ＤＣＭ３１を介して、プローブ情報としてセンタサーバ５にアップロードする処理を行う。ＥＣＵ３２は、その機能が任意のハードウェア、ソフトウェア、或いはその組み合わせ等により実現されてよく、例えば、ＣＰＵ（Central Processing Unit）、ＲＡＭ（Read Only Memory）、ＲＯＭ（Read Only Memory）、補助記憶装置、Ｉ／Ｏ（Input-Output interface）を含むマイクロコンピュータを中心に構成されてよい。ＥＣＵ３２は、例えば、ＲＯＭや補助記憶装置に格納される一以上のプログラムをＣＰＵ上で実行することにより実現される機能部として、車両情報取得部３２１と、マップマッチング部３２２と、プローブ情報送信部３２３を含む。また、ＥＣＵ３２は、補助記憶装置等の内部メモリに規定される記憶領域として、記憶部３２０を含む。記憶部３２０には、地図情報ＤＢ（Data Base）３２０Ａが格納される。
【００３７】
尚、ＥＣＵ３２の機能の一部は、一又は複数の他のＥＣＵにより分担されてもよい。
【００３８】
車両情報取得部３２１は、ＧＰＳモジュール３３、ＡＣＣスイッチ３４、及び車速センサ３５等から入力される車両情報をＲＡＭ内のバッファ等から取得する。具体的には、車両情報取得部３２１は、ＧＰＳモジュール３３から入力される車両３の位置情報を取得する。また、車両情報取得部３２１は、ＡＣＣスイッチ３４から入力されるＡＣＣスイッチ３４のＯＮ／ＯＦＦ信号を取得する。また、車両情報取得部３２１は、車速センサ３５から入力される車両３の車速に関する情報（車速情報）を取得する。
【００３９】
マップマッチング部３２２は、記憶部３２０に格納される地図情報ＤＢ３２０Ａと、車両情報取得部３２１により取得される車両３の位置情報に基づき、車両３の位置情報に対応する道路リンク、即ち、車両３が現在位置する道路リンクを特定する。例えば、地図情報ＤＢ３２０Ａに含まれる道路網を構成する複数の道路リンクのそれぞれには、予め識別情報、即ち、リンクＩＤ（Identifier）が規定されている。マップマッチング部３２２は、車両３が現在位置する道路リンクのリンクＩＤを特定する。
【００４０】
尚、地図情報ＤＢ３２０Ａには、交差点に対応するノード、隣接する交差点間の道路に対応する、即ち、ノード間を接続する道路リンク、各建物や道路等の地物に対応するラインやポリゴン等を含むＧＩＳ（Geographic Information System：地理情報システム）データ等が含まれる。以下、後述する地図情報ＤＢ５２００Ａについても同様である。
【００４１】
プローブ情報送信部３２３は、所定周期ごとに、車両情報取得部３２１により取得される各種車両情報、マップマッチング部３２２により特定される道路リンクＩＤ、及び各種車両情報に対応する時刻情報等を含むプローブ情報を生成する。そして、プローブ情報送信部３２３は、ＤＣＭ３１を介して、生成したプローブ情報をセンタサーバ５に送信する。プローブ情報には、車両３の位置情報、車両３の位置情報に対応する時刻情報、車両３の位置情報に対応するリンクＩＤ、車両３の起動・停止に関する情報を含むそれぞれの車両３の移動に関する情報（車両移動情報）が含まれる。以下、本実施形態では、車両３の起動に関する情報として、ＡＣＣスイッチ３４がＯＦＦ状態からＯＮされた旨の情報（ＡＣＣ−ＯＮ情報）を採用し、車両３の停止に関する情報として、ＡＣＣスイッチ３４がＯＮ状態からＯＦＦされた旨の情報（ＡＣＣ−ＯＦＦ情報）を採用する。
【００４２】
尚、車両３からセンタサーバ５に送信されるプローブ情報には、各種車両情報に対応する時刻情報が含まれなくてもよい。この場合、センタサーバ５は、車両３における車両移動情報の送信時刻、センタサーバ５における車両移動情報の受信時刻、或いはこれらの時刻から算出される、車両３の位置情報に対応する推定時刻等を、各種車両情報に対応する時刻情報とすればよい。そして、センタサーバ５は、当該時刻情報を、車両３から受信されたプローブ情報における各種車両情報に対応する時刻情報として、当該プローブ情報に追加すればよい。
【００４３】
ＧＰＳモジュール３３は、車両３の上空の三以上、好ましくは、四以上の衛星から送信されるＧＰＳ信号を受信し、自己が搭載される車両３の位置を測位する。ＧＰＳモジュール３３は、一対一の通信線やＣＡＮ等の車載ネットワークを通じてＥＣＵ３２等と通信可能に接続され、測位された車両３の位置情報は、ＥＣＵ３２等に入力される。
【００４４】
ＡＣＣスイッチ３４は、車両３の運転者等の乗員による所定操作に応じて、車両３のアクセサリ電源をＯＮ／ＯＦＦする。例えば、ＡＣＣスイッチ３４は、車室内の運転席のステアリング近傍のインストルメンタルパネルに設けられるパワースイッチ（ＡＣＣスイッチ３４及びイグニッションスイッチ（ＩＧスイッチ）を操作するボタン型スイッチ）に対する操作に応じて、ＯＮ／ＯＦＦされる。ＡＣＣスイッチ３４は、一対一の通信線やＣＡＮ等の車載ネットワークを通じてＥＣＵ３２等と通信可能に接続され、その状態信号（ＯＮ信号／ＯＦＦ信号）は、ＥＣＵ３２に入力される。
【００４５】
車速センサ３５は、車両３の車速を検出する既知の検出手段である。車速センサ３５は、一対一の通信線やＣＡＮ等の車載ネットワークを通じてＥＣＵ３２等と通信可能に接続され、車両３の車速情報は、ＥＣＵ３２に入力される。
【００４６】
デジタルサイネージ装置７（デジタルサイネージの一例）は、所定の道路の近傍に設置され、所定の通信ネットワークＮＷ２を通じてセンタサーバ５から配信される広告情報（広告画像）を自己の表示部、例えば、液晶ディスプレイに表示する。これにより、当該道路を走行する車両３や当該道路を歩行する歩行者等に対して、デジタルサイネージ装置７に表示される広告情報を視認させることができる。
【００４７】
センタサーバ５は、複数の車両３からプローブ情報を収集し、蓄積させる。また、センタサーバ５は、デジタルサイネージ装置７に広告情報を配信し、表示させる。また、センタサーバ５（デジタルサイネージ制御装置の一例）は、複数の車両３から収集するプローブ情報に基づき、デジタルサイネージ装置７の周辺を走行する車両３を検出し、検出した車両３に合わせて、デジタルサイネージ装置７に表示させる情報を制御する。センタサーバ５は、通信機器５１と、処理装置５２を含む。
【００４８】
尚、センタサーバ５の機能は、複数のサーバにより実現されてもよい。
【００４９】
通信機器５１は、処理装置５２（具体的には、通信処理部５２１）による制御の下、所定の通信ネットワークＮＷ１，ＮＷ２を通じて、複数の車両３及び複数のデジタルサイネージ装置７のそれぞれと双方向で通信を行うデバイスである。
【００５０】
処理装置５２は、センタサーバ５における各種制御処理を実行する。処理装置５２は、例えば、ＣＰＵ、ＲＡＭ、ＲＯＭ、補助記憶装置、Ｉ／Ｏ等を含む一又は複数のサーバコンピュータを中心に構成される。処理装置５２は、ＲＯＭや補助記憶装置に格納される一以上のプログラムをＣＰＵ上で実行することにより実現される機能部として、通信処理部５２０１と、車両移動情報蓄積処理部５２０２と、通過回数特定部５２０３と、対象サイネージ情報取得部５２０４と、対象車両検出部５２０５と、視認頻度情報取得部５２０６と、情報配信部５２０７を含む。また、処理装置５２は、例えば、サーバコンピュータの補助記憶装置やサーバコンピュータに接続される外部記憶装置に規定される記憶領域としての記憶部５２０を含む。記憶部５２００には、地図情報ＤＢ５２００Ａと、プローブ情報ＤＢ５２００Ｂと、車両移動履歴ＤＢ５２００Ｃと、車両情報ＤＢ５２００Ｄと、サイネージ情報ＤＢ５２００Ｅと、通過回数情報ＤＢ５２００Ｆと、広告ＤＢ５２００Ｇが格納される。
【００５１】
通信処理部５２１は、通信機器５１を制御し、複数の車両３のそれぞれとの間での各種信号（制御信号、情報信号等）の送受信を行う。
【００５２】
車両移動情報蓄積処理部５２０２（移動履歴情報収集部の一例）は、通信処理部５２１により複数の車両３のそれぞれから逐次受信される車両移動情報に加工を施し、車両３の移動履歴（車両移動履歴）として車両移動履歴ＤＢ５２００Ｃに蓄積させる処理を行う。例えば、車両移動情報蓄積処理部５２０２は、プローブ情報ＤＢ５２００Ｂに格納される複数の車両３のそれぞれの車両移動情報の時系列データに基づき、それぞれの車両３が起動されてから停止されるまでの期間ごと、即ち、一回のトリップごとの移動履歴に関する情報（トリップ情報）を生成する。換言すれば、車両移動情報蓄積処理部５２０２は、車両３の一回のトリップごとの出発地から目的地までのトリップ情報を生成する。具体的には、車両移動情報蓄積処理部５２０２は、車両移動情報に含まれるＡＣＣ−ＯＮ情報に基づき、車両３の起動を判断し、ＡＣＣ−ＯＮ情報を含む車両移動情報に含まれる車両３の位置情報を車両３の今回のトリップの起点（出発地）と規定する。また、車両移動情報蓄積処理部５２０２は、当該車両移動情報よりも時系列的に後の車両移動情報の中でＡＣＣ−ＯＦＦ情報を含む直近の車両移動情報に含まれる車両３の位置情報を車両３の今回のトリップの終点（目的地）と規定する。そして、車両移動情報蓄積処理部５２０２は、車両３の一回のトリップの起点及び終点の双方に係る２つの車両移動情報と、時系列的に、この２つの車両移動情報の間にある複数の車両移動情報（車両移動情報群）を一つにまとめて、トリップ情報を生成する。車両移動情報蓄積処理部５２０２は、生成したそれぞれの車両３のトリップ情報を、対応する車両３の識別情報、例えば、ＶＩＮ（Vehicle Index Number）や所定の車両ＩＤ等と紐づけて、それぞれの車両３の移動履歴として車両移動履歴ＤＢ５２００Ｃに保存する。
【００５３】
尚、車両移動情報蓄積処理部５２０２による当該処理は、通信処理部５２０１により複数の車両３のそれぞれから逐次受信されるプローブ情報に対応して、リアルタイムに実行されてもよいし、定期的に、プローブ情報ＤＢ５２００Ｂにある程度溜まった未処理のプローブ情報に対して実行されてもよい。また、複数の車両３のそれぞれの識別情報は、車両情報ＤＢ５２００Ｄに予め登録されている。
【００５４】
通過回数特定部５２０３は、それぞれのデジタルサイネージ装置７について、複数の車両３のそれぞれが、デジタルサイネージ装置７の近傍を通過した全体の通過回数（全体通過回数）を特定する。「デジタルサイネージ装置７の近傍を通過する」とは、デジタルサイネージ装置７が道路の路側に配置されている場合、当該デジタルサイネージ装置７の前を通過することを意味し、デジタルサイネージ装置７が道路の真上に配置されている場合、当該デジタルサイネージ装置７の下を通過することを意味する。例えば、通過回数特定部５２０３は、サイネージ情報ＤＢ５２００Ｅに登録されるそれぞれのデジタルサイネージ装置７の設置位置に関する情報と、車両移動履歴ＤＢ５２００Ｃに保存されるそれぞれの車両３の車両移動履歴に基づき、全体通過回数を算出する。通過回数特定部５２０３は、算出した全体通過回数を、対応する車両３の識別情報及びデジタルサイネージ装置７の識別情報と紐づけて、通過回数情報ＤＢ５２００Ｆに保存する。
【００５５】
通過回数特定部５２０３は、あるデジタルサイネージ装置７及びある車両３について、通過回数情報ＤＢ５２００Ｆに通過回数が登録されていない場合、一から通過回数を算出する。一方、通過回数特定部５２０３は、通過回数情報ＤＢ５２００Ｆに通過回数が登録されている場合、定期的に、未処理分の当該車両３の車両移動履歴に対して、当該デジタルサイネージ装置７の近傍の通過回数（追加分）を算出する。そして、通過回数特定部５２０３は、新たに算出したデジタルサイネージ装置７の近傍を通過した通過回数（追加分）を既に登録されている通過回数に加算することにより、通過回数情報ＤＢ５２００Ｆを更新する。
【００５６】
対象サイネージ情報取得部５２０４は、インターネット網等のネットワーク経由或いはサーバコンピュータの入力装置から入力（入稿）される所定の広告の配信対象となるデジタルサイネージ装置７に関する情報を、サイネージ情報ＤＢ５２００Ｅから取得する。具体的には、対象サイネージ情報取得部５２０４は、サイネージ情報ＤＢ５２００Ｅから、配信対象のデジタルサイネージ装置７の位置情報、表示部が配置される高さの情報、隣接する道路との位置関係に関する情報等を取得する。
【００５７】
尚、広告ＤＢ５２００Ｇには、入稿された広告の内容に相当する広告データ（例えば、広告画像等）の他、当該広告によりユーザを誘導したい誘導先（広告の対象商品等を販売する実店舗等）に関する情報（誘導先情報）、当該広告のターゲットとなる対象ユーザの特性情報（ユーザ特性ターゲット情報）、当該広告のターゲットとなるロケーション（例えば、対象ユーザが多く集まるＰＯＩ（Point Of Interest）、誘導先に近いエリア、誘導先に向かうユーザが通過する可能性が高い道路リンク等）に関する情報（ロケーションターゲット情報）等が広告データに紐づけられる態様で保存されている。配信対象のデジタルサイネージ装置７は、これらのターゲット情報を総合的に勘案して決定されてよい。
【００５８】
対象車両検出部５２０５は、複数の車両３の中から、所定の広告の配信対象であるデジタルサイネージ装置７の周辺に位置する車両３（対象車両）を検出する。例えば、対象車両検出部５２０５は、乗員が当該デジタルサイネージ装置７を視認可能な道路上の所定の範囲（視認可能範囲）に位置する対象車両を検出する。具体的には、対象車両検出部５２０５は、プローブ情報ＤＢ５２００Ｂ或いは車両移動履歴ＤＢ５２００Ｃにおける複数の車両３のそれぞれの最新の位置情報と、対象サイネージ情報取得部５２０４により取得されるデジタルサイネージ装置７に関する情報に基づき、対象車両を検出する。デジタルサイネージ装置７の視認可能範囲は、例えば、デジタルサイネージ装置７と隣接する道路との位置関係、デジタルサイネージ装置７の表示部が設置される高さ、車両３が移動する方向等に基づき、適宜設定される適合値である。
【００５９】
尚、対象車両検出部５２０５は、他の方法で、デジタルサイネージ装置７の視認可能範囲に位置する車両３を検出してもよい。例えば、デジタルサイネージ装置７に、カメラ等の車両３を検出するためのセンサを搭載し、対象車両検出部５２０５は、当該センサの出力情報に基づき、デジタルサイネージ装置７の視認可能範囲に位置する車両３を検出する態様であってもよい。具体的には、デジタルサイネージ装置７によって、具体的な検出処理が行われ、検出結果がデジタルサイネージ装置７からセンタサーバ５に送信される態様であってよい。これにより、対象車両検出部５２０５は、通信処理部５２０１により受信されるデジタルサイネージ装置７からの検出結果に応じて、デジタルサイネージ装置７の視認可能範囲に位置する車両３を検出することができる。
【００６０】
視認頻度情報取得部５２０６は、対象車両検出部５２０５により検出された対象車両（車両３）に乗車している乗員のデジタルサイネージ装置７の視認頻度に関する情報（視認頻度情報）を取得する。本実施形態では、視認頻度情報取得部５２０６は、視認頻度情報として、対象車両が当該デジタルサイネージ装置７の近傍を通過した全体の通過回数（全体通過回数）を通過回数情報ＤＢ５２００Ｆから取得する。詳細は、後述する。
【００６１】
情報配信部５２０７（表示制御部の一例）は、通信処理部５２０１を介して、広告の配信対象のデジタルサイネージ装置７に広告データを送信する。これにより、情報配信部５２０７は、デジタルサイネージ装置７の表示部に、広告データに相当する広告情報（広告画像）を表示させることができる。また、情報配信部５２０７は、視認頻度情報取得部５２０６により取得される、対象車両の視認頻度情報に応じて、デジタルサイネージ装置７に表示される広告情報の内容を変化させる。具体的には、情報配信部５２０７は、通信処理部５２０１を介して、指令信号をデジタルサイネージ装置７に送信することにより、デジタルサイネージ装置７に表示される広告情報の内容を変化させる。より具体的には、情報配信部５２０７は、視認頻度情報取得部５２０６により取得される視認頻度情報に基づき、対象車両の乗員の当該デジタルサイネージ装置７の表示部に表示される情報の視認頻度を判断する。そして、情報配信部５２０７は、対象車両の乗員の視認頻度が相対的に高い場合と、対象車両の乗員の視認頻度が相対的に高い場合とで、広告情報の内容を異ならせる。この場合、例えば、情報配信部５２０７は、双方の場合に対応する広告情報の二つの広告データを、通信処理部５２０１を介して、デジタルサイネージ装置７に予め配信しておく。これにより、デジタルサイネージ装置７の情報の視認頻度が比較的高い乗員に対して、異なる情報を提供する等することができるため、当該乗員の飽きを抑制し、デジタルサイネージ装置７による情報提供の効果を向上させることができる。
【００６２】
例えば、図５は、広告情報を構成する複数の個別情報の一例を示す図である。具体的には、図５は、ある店舗に関する広告情報に含まれうる複数の詳細情報の具体例を示す図である。
【００６３】
図５に示すように、ある店舗に関する広告情報を構成する複数の個別情報として、店舗のブランド名称、店舗名称、位置案内情報、取扱商品情報、セール情報、クーポン情報、これ以外のその他の情報が規定されている。
【００６４】
店舗のブランド名称及び店舗名称は、広告情報の広告対象を示す基本的な情報（基本情報）である。
【００６５】
位置案内情報は、広告対象である店舗の位置に関する情報を案内する情報である。位置案内情報には、例えば、広告対象の店舗の位置に対応する住所情報や、デジタルサイネージ装置７の設置位置付近から当該店舗までの経路を案内するルート案内情報等が含まれうる。
【００６６】
取扱商品情報は、広告情報（基本情報）に関連する詳細情報の一例であり、広告対象の店舗で取り扱いの商品の種類やブランドに関する情報である。
【００６７】
セール情報及びクーポン情報は、広告情報（基本情報）に関連する更新されうる新規の情報、即ち、最新情報の一例である。セール情報には、広告対象の店舗で開催中のセールに関する情報、例えば、セール対象の商品、そのセールによる値引き率、及びセールの期間等が含まれる。また、クーポン情報には、ウェブ、新聞の折り込み広告、或いは店頭等で取得可能なクーポンに関する情報であり、例えば、クーポンの取得方法、クーポンの対象商品、クーポンによる特典の内容、及びクーポンの適用期間等が含まれる。
【００６８】
その他の情報には、例えば、店舗の電話番号やウェブサイトのＵＲＬ等、広告情報（基本情報）を補足する補足情報が含まれうる。
【００６９】
例えば、情報配信部５２０７は、視認頻度情報としての対象車両のデジタルサイネージ装置７の近傍の全体通過回数が相対的に少ない、具体的には、所定閾値より少ない場合、広告情報に含まれうる複数の個別情報のうち、基本情報と位置案内情報をデジタルサイネージ装置７に表示させる。対象車両の全体通過回数が相対的に少ない場合、対象車両の乗員は、デジタルサイネージ装置７に表示される広告情報に係る広告対象（店舗）を知らない可能性が高く、基本情報や位置案内情報により広告対象を知ってもらう必要があるからである。一方、情報配信部５２０７は、視認頻度情報としての対象車両のデジタルサイネージ装置７の近傍の全体通過回数が相対的に多い、具体的には、所定閾値以上である場合、広告情報に含まれうる複数の個別情報のうち、基本情報と、最新情報、詳細情報、及び補足情報のうちの少なくとも一つをデジタルサイネージ装置７に表示させる。この際、情報配信部５２０７は、対象車両の乗員に広告対象の店舗を認識させることが可能であれば、全ての基本情報を表示させる必要はなく、例えば、店舗のブランド名称或いは店舗の名称の何れかだけを表示させる態様でもよい。対象車両の全体通過回数が相対的に多い場合、対象車両の乗員は、既に、デジタルサイネージ装置７に表示される広告情報に係る広告対象（店舗）に関する基本情報や位置情報は既知である可能性が高く、詳細情報、最新情報、補足情報等を提供する方が有効だからである。
【００７０】
尚、デジタルサイネージ装置７に表示される広告情報の内容を変化させる際、情報配信部５２０７からの指令信号に応じて、デジタルサイネージ装置７により、広告情報の内容を変更する画像加工処理が実施される態様であってもよい。
【００７１】
［情報配信システムの動作の詳細］
【００７２】
次に、図５を参照して、本実施形態に係る情報配信システム１の具体的な動作について説明をする。
【００７３】
図５は、本実施形態に係るセンタサーバ５の処理装置５２による処理の一例を概略的に示すフローチャートである。
【００７４】
本フローチャートによる処理は、複数のデジタルサイネージ装置７のうちの所定の広告の配信対象であるデジタルサイネージ装置７ごとに実行される。また、本フローチャートによる処理は、対象車両検出部５２０５により所定の広告の配信対象のデジタルサイネージ装置７の視認可能範囲に車両３が検出されると開始され、当該車両３が検出されなくなるまで繰り返し実行される。また、対象車両検出部６２３により複数の車両３が検出されている場合、当該フローチャートによる処理は、検出された複数の車両３のうち、デジタルサイネージ装置７に最も近い車両３を対象として実行されてよい。以下、図８、図１２、及び図１４のフローチャートについても同様である。
【００７５】
ステップＳ５０２にて、視認頻度情報取得部５２０６は、通過回数情報ＤＢ５２００Ｆから当該デジタルサイネージ装置７の近傍を対象車両が通過した全体通過回数を取得する。
【００７６】
ステップＳ５０４にて、情報配信部５２０７は、当該デジタルサイネージ装置７の近傍を対象車両が通過した全体通過回数が所定閾値より少ないか否かを判定する。情報配信部５２０７は、当該全体通過回数が所定閾値より少ない場合、ステップＳ５０６に進み、所定閾値以上である場合、ステップＳ５０８に進む。
【００７７】
ステップＳ５０６にて、情報配信部５２０７は、基本情報及び位置案内情報で構成される広告情報を表示させる指令信号を、通信処理部５２０１を介して、デジタルサイネージ装置７に送信する。これにより、上述の如く、当該デジタルサイネージ装置７の視認頻度が比較的低い可能性がある対象車両の乗員に対して、広告情報に係る広告対象に関する基本情報や位置案内情報を知ってもらうことができる。
【００７８】
一方、ステップＳ５０８にて、情報配信部５２０７は、基本情報及び最新情報で構成される広告情報を表示させる指令信号を、通信処理部５２０１を介して、デジタルサイネージ装置７に送信する。これにより、上述の如く、当該デジタルサイネージ装置７の視認頻度が比較的高い可能性がある対象車両の乗員に対して、更新されうる最新情報を提供し、当該乗員の飽きを抑制し、広告配信による効果を向上させることができる。
【００７９】
［作用］
このように、本実施形態では、情報配信部５２０７は、対象車両の乗員がデジタルサイネージ装置７を視認する頻度に関する視認頻度情報に応じて、当該デジタルサイネージ装置７に表示させる情報の内容を変化させる。
【００８０】
これにより、センタサーバ５は、視認頻度情報に基づき、デジタルサイネージ装置７の周辺で検出された対象車両の乗員によるデジタルサイネージ装置７の情報の視認頻度を考慮して、デジタルサイネージ装置７に表示させる情報の内容を変化させることができる。従って、センタサーバ５は、例えば、デジタルサイネージ装置７の近傍を車両３で頻繁に通過し、デジタルサイネージ装置７の情報の視認頻度が高い乗員に対して、通常表示されている情報と異なる情報を表示させるようなことができる。そのため、デジタルサイネージ装置７の情報の視認頻度が比較的高い乗員の飽きを抑制し、デジタルサイネージ装置７による情報提供の効果を向上させることができる。
【００８１】
また、本実施形態では、車両移動情報蓄積処理部５２０２は、対象車両含む複数の車両３から、位置情報を含む車両移動情報を収集し、車両移動履歴（トリップ情報）として、車両移動履歴ＤＢ５２００Ｃに保存する。また、視認頻度情報取得部５２０６は、視認頻度情報として、通過回数特定部５２０３により車両移動履歴に基づき算出される、対象車両がデジタルサイネージ装置７の近傍を通過した通過回数を取得する。そして、情報配信部５２０７は、視認頻度情報取得部５２０６により取得される通過回数に応じて、デジタルサイネージ装置７に表示させる情報の内容を変化させる。
【００８２】
これにより、センタサーバ５は、デジタルサイネージ装置７の周辺で検出された対象車両の車両移動履歴情報に基づき、対象車両がデジタルサイネージ装置７の近傍を通過した通過回数を取得することができる。従って、センタサーバ５は、対象車両がデジタルサイネージ装置７の近傍を通過した通過回数に基づき、具体的に、対象車両の乗員によるデジタルサイネージ装置７の視認頻度を考慮して、デジタルサイネージ装置７に表示される情報の内容を変化させることができる。
【００８３】
また、本実施形態では、情報配信部５２０７は、視認頻度情報取得部５２０６により取得される通過回数が相対的に少ない場合、所定の対象に関連する基本情報と、当該対象に関連する場所の位置案内情報とを表示させる。一方、情報配信部５２０７は、視認頻度情報取得部５２０６により取得される通過回数が相対的に多い場合、当該対象に関連する基本情報と、詳細情報、補足情報、及び最新情報うちの少なくとも一つとをデジタルサイネージ装置７に表示させる。
【００８４】
これにより、センタサーバ５は、デジタルサイネージ装置７の視認頻度が相対的に低い乗員に対して、例えば、商品や店舗等の所定の対象に関する基本情報の他、該対象に関連する場所の位置案内情報を提供することができる。従って、センタサーバ５は、デジタルサイネージ装置７の視認頻度が相対的に低い乗員に、情報の対象と当該対象に関連する場所等の当該対象に関連する入口となる情報を知ってもらうことができる。一方、センタサーバ５は、デジタルサイネージ装置７の視認頻度が相対的に高い乗員に対して、基本情報の他、詳細情報、補足情報、最新情報等を提供することができる。従って、具体的に、デジタルサイネージ装置７の視認頻度が比較的高い乗員の飽きを抑制し、デジタルサイネージ装置７による情報提供の効果を向上させることができる。
【００８５】
尚、本実施形態において、センタサーバ５は、同じ広告対象に関する広告情報を構成する個別情報の組み合わせを変化させる代わりに、広告対象が異なる複数の広告情報の中から異なる広告情報を選択することによりデジタルサイネージ装置７に表示される情報の内容を変更してもよい。以下、第２実施形態〜第４実施形態についても同様である。この場合、例えば、候補となる複数の候補情報が予め規定されると共に、複数の候補情報には、それぞれ、優先度が予め規定される。そして、情報配信部５２０７は、視認頻度情報取得部５２０６により取得される通過回数が相対的に少ない場合、複数の候補情報のうちの優先度が相対的に高い候補情報をデジタルサイネージ装置７に表示させ、視認頻度情報取得部５２０６により取得される通過回数が相対的に多い場合、複数の候補情報のうちの優先度が相対的に低い候補情報の候補情報をデジタルサイネージ装置７に表示させてもよい。
【００８６】
これにより、センタサーバ５は、デジタルサイネージ装置７の視認頻度が相対的に低い乗員に対して、優先度が高い情報を提供するため、優先度が高い広告情報をより多くの乗員に視認させることができる。また、センタサーバ５は、デジタルサイネージ装置７の視認頻度が相対的に高い乗員に対して、優先度が低い情報を提供するため、当該乗員の飽きを抑制し、具体的に、デジタルサイネージ装置７による情報提供の効果を向上させることができる。
【００８７】
＜第２実施形態＞
次いで、第２実施形態について説明する。
【００８８】
本実施形態に係る情報配信システム１は、対象車両がデジタルサイネージ装置７の近傍を通過した全体の通過回数のうち、対象車両の乗員がデジタルサイネージ装置７の内容を把握することができた状況での通過回数を利用する点で第１実施形態と異なる。具体的には、本実施形態に係る情報配信システム１は、センタサーバ５の処理装置５２において、視認可否判定部５２０８及び気象情報ＤＢ５２００Ｈが追加される点で、第１実施形態と異なる。以下、第１実施形態と同一或いは対応する構成には同一の符号を付し、第１実施形態と異なる部分を中心に説明する。
【００８９】
［情報配信システムの構成］
図６を参照して、本実施形態に係る情報配信システム１の構成について説明する。
【００９０】
図６は、本実施形態に係るセンタサーバ５の機能的な構成の一例を示す図である。
【００９１】
尚、本実施形態に係る情報配信システム１の構成、及び車両３の機能的な構成は、第１実施形態と同様、図１及び図２で表される。
【００９２】
センタサーバ５は、第１実施形態と同様、通信機器５１と、処理装置５２を含む。
【００９３】
処理装置５２は、ＲＯＭや補助記憶装置に格納される一以上のプログラムをＣＰＵ上で実行することにより実現される機能部として、通信処理部５２０１と、車両移動情報蓄積処理部５２０２と、通過回数特定部５２０３と、対象サイネージ情報取得部５２０４と、対象車両検出部５２０５と、視認頻度情報取得部５２０６と、情報配信部５２０７と、視認可否判定部５２０８を含む。また、処理装置５２は、例えば、サーバコンピュータの補助記憶装置やサーバコンピュータに接続される外部記憶装置に規定される記憶領域としての記憶部５２０を含む。記憶部５２００には、地図情報ＤＢ５２００Ａと、プローブ情報ＤＢ５２００Ｂと、車両移動履歴ＤＢ５２００Ｃと、車両情報ＤＢ５２００Ｄと、サイネージ情報ＤＢ５２００Ｅと、通過回数情報ＤＢ５２００Ｆと、広告ＤＢ５２００Ｇと、気象情報ＤＢ５２００Ｈが格納される。
【００９４】
視認可否判定部５２０８は、車両３がデジタルサイネージ装置７の近傍を通過したときに、デジタルサイネージ装置７の内容を当該車両３に乗車していた乗員が把握可能な状況であったか否かを判定する。具体的には、視認可否判定部５２０８は、通過回数特定部５２０３によって、あるデジタルサイネージ装置７及びある車両３を対象として、当該車両３が当該デジタルサイネージ装置７の近傍を通過したと判断された各回について、当該可否判定を行う。
【００９５】
例えば、視認可否判定部５２０８は、車両３がデジタルサイネージ装置７の近傍を通過したときの当該車両３の車速情報に基づき、当該可否判定を行ってもよい。この際、視認可否判定部５２０８は、プローブ情報ＤＢ５２００Ｂに格納される当該車両３の車速情報を参照することができる。車両３の車速が相対的に高くなると、デジタルサイネージ装置７に表示される情報を視認するために高い動体視力が要求され、乗員はデジタルサイネージ装置７に表示される内容を把握しにくくなるからである。具体的には、視認可否判定部５２０８は、車両３がデジタルサイネージ装置７の近傍を通過したときに、当該車両３の車速が所定速度以上であった場合、当該車両３に乗車していた乗員がデジタルサイネージ装置７の内容を把握できない状況であったと判定してよい。
【００９６】
また、例えば、視認可否判定部５２０８は、車両３がデジタルサイネージ装置７の近傍を通過したときに、当該車両３から当該デジタルサイネージ装置７を見て逆光状態であったか否かに基づき、当該可否判定を行ってもよい。この際、視認可否判定部５２０８は、車両移動履歴ＤＢ５２００Ｃ及びサイネージ情報ＤＢ５２００Ｅに基づき、当該車両３と当該デジタルサイネージ装置７の表示部との位置関係を参照することができる。また、視認可否判定部５２０８は、気象情報ＤＢ５２００Ｈに基づき、車両３がデジタルサイネージ装置７の近傍を通過したときの気象状況やそのときの太陽の方位角等を参照することができる。車両３の乗員からデジタルサイネージ装置７を見たときに逆光状態であると、乗員は、デジタルサイネージ装置７に表示される内容が見えにくくなるからである。具体的には、視認可否判定部５２０８は、車両３がデジタルサイネージ装置７の近傍を通過したときに、当該車両３から当該デジタルサイネージ装置７を見て逆光状態であったか否かを判断する。そして、視認可否判定部５２０８は、逆光状態であった場合、当該車両３に乗車していた乗員が当該デジタルサイネージ装置７の内容を把握できない状況であったと判定してよい。
【００９７】
また、例えば、視認可否判定部５２０８は、車両３がデジタルサイネージ装置７の近傍を通過したときに、当該デジタルサイネージ装置７の周辺が悪天候であったか否かに基づき、当該可否判定を行ってもよい。この際、視認可否判定部５２０８は、気象情報ＤＢ５２００Ｈに基づき、車両３がデジタルサイネージ装置７の近傍を通過したときの天候を参照することができる。悪天候には、霧、大雨（単位時間ごとの雨量が所定量以上の雨）、大雪（単位時間ごとの降雪量が所定量以上の雪）、雹、霰等が含まれうる。デジタルサイネージ装置７の周辺が悪天候になると、視界不良により、当該車両３の乗員からデジタルサイネージ装置７の内容が見えにくくなるからである。具体的には、視認可否判定部５２０８は、車両３がデジタルサイネージ装置７の近傍を通過したときの当該デジタルサイネージ装置７の周辺の天候を確認する。そして、視認可否判定部５２０８は、悪天候であった場合、当該車両３に乗車していた乗員が当該デジタルサイネージ装置７の内容を把握できない状況であったと判定してよい。
【００９８】
尚、センタサーバ５は、例えば、インターネット網等を含む所定の通信ネットワークを通じて、外部の気象情報サーバ等に接続可能であり、気象情報ＤＢ５２００Ｈは、当該気象情報サーバ等から取得される情報で適宜更新されうる。
【００９９】
通過回数特定部５２０３は、第１実施形態と同様、複数のデジタルサイネージ装置７のそれぞれについて、複数の車両３のそれぞれが、デジタルサイネージ装置７の近傍を通過した全体の通過回数（全体通過回数）を算出する。また、通過回数特定部５２０３は、複数の車両３のそれぞれが、デジタルサイネージ装置７の近傍を通過した全体の通過回数のうち、デジタルサイネージ装置７の内容を当該車両３に乗車していた乗員が把握可能な状況で通過した通過回数（視認可通過回数）を算出する。つまり、通過回数特定部５２０３は、車両３がデジタルサイネージ装置７の近傍を通過した全体の通過回数のうち、視認可否判定部５２０８による判定結果が可判定である状況で、車両３がデジタルサイネージ装置７の近傍を通過した視認可通過回数を算出する。通過回数特定部５２０３は、算出した全体通過回数と視認可通過回数を、対応する車両３の識別情報及びデジタルサイネージ装置７の識別情報と紐付けて、通過回数情報ＤＢ５２００Ｆに保存する。
【０１００】
視認頻度情報取得部５２０６は、第１実施形態と異なり、対象車両検出部５２０５により検出された対象車両に乗車している乗員のデジタルサイネージ装置７に関する視認頻度情報として、視認可通過回数を取得する。
【０１０１】
情報配信部５２０７は、第１実施形態と異なり、視認頻度情報取得部５２０６により取得される、対象車両の視認可通過回数に基づき、デジタルサイネージ装置７に表示される広告情報の内容を変化させる。
【０１０２】
例えば、情報配信部５２０７は、あるデジタルサイネージ装置７について、対象車両の視認可通過回数が相対的に少ない、具体的には、所定閾値より少ない場合、広告情報に含まれうる複数の個別情報のうち、基本情報と位置案内情報を当該デジタルサイネージ装置７に表示させる。一方、情報配信部５２０７は、対象車両の視認可通過回数が相対的に多い、具体的には、所定閾値以上である場合、広告情報に含まれうる複数の個別情報のうち、基本情報と、最新情報、詳細情報、及び補足情報のうちの少なくとも一つを当該デジタルサイネージ装置７に表示させる。
【０１０３】
尚、本実施形態に係る情報配信システム１による具体的な動作は、第１実施形態の図５と同様の処理で実現される、つまり、図５における処理のうち、「全体通過回数」を「視認可通過回数」に置換することにより実現されるため、詳細な説明は省略する。
【０１０４】
［作用］
このように、本実施形態では、視認可否判定部５２０８は、対象車両がデジタルサイネージ装置７の近傍を通過したときに、デジタルサイネージ装置７の内容を対象車両に乗車していた乗員が把握できる状況であったか否かを判定する。そして、視認頻度情報取得部５２０６は、対象車両がデジタルサイネージ装置７の近傍を通過した全体の通過回数（全体通過回数）のうちの、視認可否判定部５２０８による判定結果が可判定に該当する状況で、対象車両がデジタルサイネージ装置７の近傍を通過した通過回数（視認可通過回数）を取得する。
【０１０５】
これにより、センタサーバ５は、全体の通過回数から乗員がデジタルサイネージ装置７を視認できなかった可能性があるものを除外し、乗員が実際にデジタルサイネージ装置７の情報を視認した視認回数に相当する通過回数を取得することができる。
【０１０６】
また、本実施形態では、視認可否判定部５２０８は、対象車両がデジタルサイネージ装置７の近傍を通過したときに、対象車両の車速が所定速度以上であった場合、対象車両に乗車していた乗員からデジタルサイネージ装置７を見たときに逆光状態であった場合、又は、デジタルサイネージ装置７の周辺が所定の悪天候であった場合、対象車両に乗車していた乗員がデジタルサイネージ装置７の内容を把握できる状況でなかったと判定する。
【０１０７】
これにより、センタサーバ５は、車速が相対的に高かった場合、逆光状態であった場合、或いは、悪天候であった場合を、具体的に、デジタルサイネージ装置７の内容を把握できる状況でなかったと判定することができる。
【０１０８】
これにより、センタサーバ５は、全体の通過回数から乗員がデジタルサイネージ装置７を視認できなかった可能性があるものを除外し、乗員が実際にデジタルサイネージ装置７の情報を視認した視認回数に相当する通過回数を取得することができる。
【０１０９】
また、本実施形態では、視認可否判定部５２０８は、対象車両がデジタルサイネージ装置７の近傍を通過したときに、対象車両の車速が所定速度以上であった場合、対象車両に乗車していた乗員からデジタルサイネージ装置７を見たときに逆光状態であった場合、又は、デジタルサイネージ装置７の周辺が所定の悪天候であった場合、対象車両に乗車していた乗員がデジタルサイネージ装置７の内容を把握できる状況でなかったと判定する。
【０１１０】
これにより、センタサーバ５は、車速が相対的に高かった場合、逆光状態であった場合、或いは、悪天候であった場合を、具体的に、デジタルサイネージ装置７の内容を把握できる状況でなかったと判定することができる。
【０１１１】
＜第３実施形態＞
次いで、第３実施形態について説明する。
【０１１２】
本実施形態に係る情報配信システム１は、対象車両に乗車している乗員のデジタルサイネージ装置７に関する視認頻度情報として、対象車両の所有者の居住地に関する情報（居住地情報）を利用する点で、第１実施形態と異なる。具体的には、本実施形態に係る情報配信システム１は、センタサーバ５の処理装置５２において、通過回数特定部５２０３及び通過回数情報ＤＢ５２００Ｆが省略される点で、第１実施形態と異なる。以下、第１実施形態と同一或いは対応する構成には同一の符号を付し、第１実施形態と異なる部分を中心に説明する。
【０１１３】
［情報配信システムの構成］
まず、図７を参照して、本実施形態に係る情報配信システム１の構成について説明する。
【０１１４】
図７は、本実施形態に係るセンタサーバ５の機能的な構成の一例を示す機能ブロック図である。
【０１１５】
尚、本実施形態に係る情報配信システム１の全体構成、及び車両３の機能的な構成は、第１実施形態と同様、図１及び図２で表される。
【０１１６】
センタサーバ５は、第１実施形態と同様、通信機器５１と、処理装置５２を含む。
【０１１７】
処理装置５２は、例えば、ＲＯＭや補助記憶装置に格納される一以上のプログラムをＣＰＵ上で実行することにより実現される機能部として、通信処理部５２０１と、車両移動情報蓄積処理部５２０２と、対象サイネージ情報取得部５２０４と、対象車両検出部５２０５と、視認頻度情報取得部５２０６と、情報配信部５２０７を含む。また、処理装置５２は、例えば、サーバコンピュータの補助記憶装置やサーバコンピュータに接続される外部記憶装置に規定される記憶領域としての記憶部５２０を含む。記憶部５２００には、地図情報ＤＢ５２００Ａと、プローブ情報ＤＢ５２００Ｂと、車両移動履歴ＤＢ５２００Ｃと、車両情報ＤＢ５２００Ｄと、サイネージ情報ＤＢ５２００Ｅと、広告ＤＢ５２００Ｇが格納される。
【０１１８】
視認頻度情報取得部５２０６は、第１実施形態と異なり、車両情報ＤＢ５２００Ｄに基づき、対象車両（車両３）に乗車している乗員のデジタルサイネージ装置７に関する視認頻度情報として、対象車両の所有者の居住地情報を取得する。
【０１１９】
尚、車両情報ＤＢ５２００Ｄには、複数の車両３のそれぞれの識別情報と紐づけて、それぞれの車両３の所有者の居住地情報、例えば、住所情報が予め登録されている。
【０１２０】
情報配信部５２０７は、第１実施形態と異なり、視認頻度情報取得部５２０６により取得される、対象車両の所有者の居住地情報に基づき、デジタルサイネージ装置７に表示される広告情報の内容を変化させる。
【０１２１】
例えば、情報配信部５２０７は、対象車両の所有者の居住地が、デジタルサイネージ装置７の設置位置を含む所定のエリア内に含まれない場合、広告情報に含まれうる複数の個別情報のうち、基本情報と位置案内情報を当該デジタルサイネージ装置７に表示させる。当該エリアは、例えば、人が日常的に自家用の車両を利用して移動すると想定される限界の範囲として適宜規定されてよい。デジタルサイネージ装置７の設置位置を中心と対象車両の所有者が、デジタルサイネージ装置７の設置位置を含む所定のエリア内に居住していない場合、当該対象車両は、ある程度遠方から来ており、その乗員が当該デジタルサイネージ装置７を視認する頻度は比較的低いと考えることができる。そのため、デジタルサイネージ装置７の視認頻度が比較的低いと考えられる対象車両の乗員に対して、広告情報に係る基本情報や位置情報等を情報提供することにより、広告対象を知ってもらうことができる。一方、情報配信部５２０７は、対象車両の所有者の居住地が、デジタルサイネージ装置７の設置位置を含む所定のエリア内に含まれる場合、広告情報に含まれうる複数の個別情報のうち、基本情報と、最新情報、詳細情報、及び補足情報のうちの少なくとも一つを当該デジタルサイネージ装置７に表示させる。この際、情報配信部５２０７は、対象車両の乗員に広告対象の店舗を認識させることが可能であれば、全ての基本情報を表示させる必要はなく、例えば、店舗のブランド名称或いは店舗の名称の何れかだけを表示させる態様でもよい。対象車両の所有者が、デジタルサイネージ装置７の設置位置を含む所定のエリア内に居住している場合、当該対象車両は、デジタルサイネージ装置７の近傍を過去に通過している可能性が高く、その乗員が当該デジタルサイネージ装置７を視認する頻度は比較的高いと考えることができる。そのため、デジタルサイネージ装置７の視認頻度が比較的高いと考えられる対象車両の乗員に対して、広告情報に係る最新情報、詳細情報、及び補足情報等を情報提供することにより、当該乗員の飽きを抑制し、情報提供による効果を向上させることができる。
【０１２２】
［情報配信システムの動作の詳細］
次に、図８を参照して、本実施形態に係る情報配信システム１の具体的に動作について説明する。
【０１２３】
図８は、本実施形態に係るセンタサーバ５の処理装置５２による処理の一例を概略的に示すフローチャートである。
【０１２４】
ステップＳ８０２にて、視認頻度情報取得部５２０６は、車両情報ＤＢ５２００Ｄから対象車両の所有者の居住地情報を取得する。
【０１２５】
ステップＳ８０４にて、情報配信部５２０７は、対象車両の所有者の居住地が当該デジタルサイネージ装置７の設置位置を含む所定のエリア内に含まれるか否かを判定する。情報配信部５２０７は、対象車両の所有者の居住地が当該エリア内でない場合、ステップＳ８０６に進み、当該エリア内である場合、ステップＳ８０８に進む。
【０１２６】
ステップＳ８０６，Ｓ８０８は、第１実施形態の図５におけるステップＳ５０６，５０８と同じであるため、説明を省略する。
【０１２７】
［作用］
このように、本実施形態では、視認頻度情報取得部５２０６は、対象車両の乗員がデジタルサイネージ装置７を視認する頻度に関する視認頻度情報として、対象車両の所有者がデジタルサイネージの設置位置を含む所定のエリアの居住者か否かに関する属性情報（居住地情報）を取得する。そして、情報配信部５２０７は、居住地情報に基づき、対象車両の所有者がエリア内の居住者である場合と、エリア内の居住者でない場合とで、デジタルサイネージに表示させる情報の内容を異ならせる。
【０１２８】
これにより、センタサーバ５は、対象車両の所有者がデジタルサイネージ装置７の設置位置が含まれる所定のエリア内の居住者である場合、即ち、地元の住民である場合、視認頻度は比較的高いと判断することができる。一方、センタサーバ５は、車両の所有者や乗員が上記エリア内の居住者でない場合、即ち、他の地域から来た観光客等である場合、デジタルサイネージ装置７の視認頻度は比較的低いと判断することができる。従って、センタサーバ５は、具体的に、対象車両の乗員によるデジタルサイネージ装置７の視認頻度を考慮して、対象車両の所有者や乗員が上記エリア内の居住者である場合と、そうでない場合とで、デジタルサイネージ装置７に表示させる内容を異ならせることができる。
【０１２９】
＜第４実施形態＞
次に、第４実施形態について説明する。
【０１３０】
本実施形態に係る情報配信システム１は、視認頻度情報として、対象車両に乗車している乗員が車両に乗車してデジタルサイネージ装置７を過去に通過した通過回数を利用する点で、第１実施形態と異なる。具体的には、本実施形態に係る情報配信システム１は、車両３の所有者を含むユーザが所持する携帯端末４が含まれる点で、第１実施形態と異なる。また、本実施形態に係る情報配信システム１は、センタサーバ５の処理装置５２において、端末移動情報蓄積処理部５２０９と、乗車車両抽出部５２１０と、利用車両特定部５２１１と、乗車中特定部５２１２が追加される点で、第１実施形態と異なる。以下、第１実施形態と同一或いは対応する構成には同一の符号を付し、第１実施形態と異なる部分を中心に説明する。
【０１３１】
［情報配信システムの構成］
図９〜図１１を参照して、本実施形態に係る情報配信システム１の構成について説明する。
【０１３２】
図９は、本実施形態に係る情報配信システム１の構成を概略的に示す図である。図１０は、本実施形態に係る携帯端末４の機能的な構成の一例を概略的に示す機能ブロック図である。図１１は、センタサーバ５の機能的な構成の一例を概略的に示す機能ブロック図である。
【０１３３】
尚、本実施形態に係る車両３の機能的な構成は、第１実施形態と同様、図２で表される。
【０１３４】
本実施形態に係る情報配信システム１は、複数の車両３と、複数の携帯端末４と、デジタルサイネージ装置７と、複数の車両３、複数の車両３の所有者を含むユーザのそれぞれのユーザが所持する複数の携帯端末４、及び複数のデジタルサイネージ装置７のそれぞれと通信可能に接続されるセンタサーバ５を含む。
【０１３５】
尚、複数の携帯端末４のそれぞれにおける情報配信システム１に関連する構成は、略同じであるため、図中には、一の携帯端末４が代表的に示されている。
【０１３６】
携帯端末４は、例えば、車両３の所有者を含むユーザが所持する携帯電話、スマートフォン、タブレット端末等である。携帯端末４は、通信機器４１と、処理装置４２と、ＧＰＳモジュール４３と、加速度センサ４４と、タッチパネルディスプレイ（以下、単に「ディスプレイ」と称する）４５を含む。
【０１３７】
通信機器４１は、処理装置４２（具体的には、後述する通信処理部４２１）による制御の下、所定の通信ネットワークＮＷ３を通じて、センタサーバ５と双方向で通信を行うデバイスであり、例えば、ＬＴＥ（Long Term Evolution）、４Ｇ（4th Generation）、５Ｇ（5th Generation）等の通信規格に対応する移動通信モジュールである。
【０１３８】
処理装置４２は、携帯端末４における各種制御処理を行う。処理装置４２は、例えば、ＣＰＵ、ＲＡＭ、ＲＯＭ、補助記憶装置、Ｉ／Ｏ等を含むコンピュータを中心に構成されてよく、ＲＯＭや補助記憶装置に格納される一以上のプログラムをＣＰＵ上で実行することにより実現される機能部として、通信処理部４２１と、センサ情報取得部４２２と、移動手段判定部４２３と、端末移動情報送信部４２４を含む。
【０１３９】
通信処理部４２１は、通信機器４１を制御し、センタサーバ５との間での各種信号の送受信を行う。
【０１４０】
センサ情報取得部４２２は、ＧＰＳモジュール４３、加速度センサ４４等の各種センサから入力されるセンサ情報を、ＲＡＭ内のバッファ等から取得する。具体的には、センサ情報取得部４２２は、ＧＰＳモジュール４３から入力される携帯端末４の位置情報を取得する。また、センサ情報取得部４２２は、加速度センサ４４から入力される携帯端末４の加速度に関する情報（加速度情報）を取得する。
【０１４１】
移動手段判定部４２３は、任意の方法を用いて、携帯端末４を所持するユーザが移動手段としての車両で移動しているか、それ以外の移動手段（徒歩、自転車、電車等）で移動しているかを判定する。例えば、移動手段判定部４２３は、加速度センサ４４から入力される加速度情報に基づき、移動手段としての車両で移動している場合と車両以外の移動手段で移動している場合とを識別可能に予め機械学習された識別器を適用することにより、当該判定を行ってよい。また、例えば、移動手段判定部４２３は、加速度センサ４４から入力される加速度情報に加えて、或いは、代えて、ＧＰＳモジュール４３から入力される携帯端末４の位置情報に基づき、ユーザが移動手段としての車両で移動しているか、車両以外の移動手段で移動しているかを判定してもよい。
【０１４２】
端末移動情報送信部４２４は、携帯端末４の移動、即ち、携帯端末４を所持するユーザの移動に関する情報（端末移動情報）を生成し、通信処理部４２１を介して、センタサーバ５に送信する。端末移動情報には、携帯端末４の位置情報、当該位置情報に対応する時刻情報、移動手段判定部４２３による判定結果（例えば、車両移動中であることを示す車両移動中タグの有無等）が含まれうる。
【０１４３】
尚、車両３からセンタサーバ５に送信されるプローブ情報の場合と同様、携帯端末４からセンタサーバ５に送信される端末移動情報には、位置情報に対応する時刻情報が含まれなくてもよい。この場合、センタサーバ５は、プローブ情報の場合と同様、携帯端末４における端末移動情報の送信時刻、センタサーバ５における端末移動情報の受信時刻、或いはこれらの時刻から算出される、携帯端末４の位置情報に対応する推定時刻等を、端末移動情報に対応する時刻情報とすればよい。そして、センタサーバ５は、当該時刻情報を、携帯端末４から受信された端末移動情報に対応する時刻情報として、当該端末移動情報に追加すればよい。
【０１４４】
センタサーバ５は、第１実施形態と同様、通信機器５１と、処理装置５２を含む。
【０１４５】
通信機器５１は、処理装置５２（具体的には、通信処理部５２１）による制御の下、所定の通信ネットワークＮＷ１〜ＮＷ３を通じて、複数の車両３、複数のデジタルサイネージ装置７、及び複数の携帯端末４のそれぞれと双方向で通信を行うデバイスである。
【０１４６】
処理装置５２は、例えば、ＲＯＭや補助記憶装置に格納される一以上のプログラムをＣＰＵ上で実行することにより実現される機能部として、通信処理部５２０１と、車両移動情報蓄積処理部５２０２と、通過回数特定部５２０３と、対象サイネージ情報取得部５２０４と、対象車両検出部５２０５と、視認頻度情報取得部５２０６と、情報配信部５２０７と、端末移動情報蓄積処理部５２０９と、乗車車両抽出部５２１０と、利用車両特定部５２１１と、乗車中特定部５２１２を含む。また、処理装置５２は、例えば、サーバコンピュータの補助記憶装置やサーバコンピュータに接続される外部記憶装置に規定される記憶領域としての記憶部５２０を含む。記憶部５２００には、地図情報ＤＢ５２００Ａと、プローブ情報ＤＢ５２００Ｂと、車両移動履歴ＤＢ５２００Ｃと、車両情報ＤＢ５２００Ｄと、サイネージ情報ＤＢ５２００Ｅと、通過回数情報ＤＢ５２００Ｆと、広告ＤＢ５２００Ｇ、端末移動履歴ＤＢ５２００Ｉと、端末情報ＤＢ５２００Ｊと、利用車両ＤＢ５２００Ｋが格納される。
【０１４７】
端末移動情報蓄積処理部５２０９（移動履歴情報収集部の一例）は、通信処理部５２１により複数の携帯端末４のそれぞれから逐次受信される端末移動情報を、携帯端末４の移動履歴（端末移動履歴）として端末移動履歴ＤＢ５２００Ｉに蓄積させる処理を行う。
【０１４８】
尚、端末移動情報蓄積処理部５２０９による当該処理は、通信処理部５２１により複数の携帯端末４のそれぞれから逐次受信される端末移動情報に対応して、リアルタイムに実行されてもよいし、定期的に、ＲＡＭ等のバッファにある程度溜まった未処理の端末移動情報に対して実行されてもよい。
【０１４９】
乗車車両抽出部５２１０は、車両移動履歴ＤＢ５２００Ｃ及び端末移動履歴ＤＢ５２００Ｉに蓄積される複数の車両３の車両移動履歴及び複数の携帯端末４の端末移動履歴に基づき、複数の携帯端末４のそれぞれのユーザが乗車した車両３を抽出する。換言すれば、乗車車両抽出部５２１０は、複数の車両３の中から、複数の携帯端末４のそれぞれのユーザの乗車実績がある車両３を抽出する。
【０１５０】
例えば、乗車車両抽出部５２１０は、端末移動履歴ＤＢ５２００Ｉにおけるそれぞれの携帯端末４の端末移動履歴と、車両移動履歴ＤＢ５２００Ｃにおけるそれぞれの車両３の車両移動履歴、即ち、トリップ情報群に基づき、以下の二つの条件成立の有無を判定する。
【０１５１】
具体的には、第一に、乗車車両抽出部５２１０は、車両３の出発地及び目的地において、携帯端末４の滞在実績があることを示す滞在実績条件の成立の有無を判定する。より具体的には、乗車車両抽出部５２１０は、携帯端末４の端末移動履歴が、車両３のトリップ情報における車両３の起動時、即ち、ＡＣＣ−ＯＮ時より以前の所定時間（例えば、１０分）以内で、出発地付近に滞在していたことを示しているか否かを判定する。また、乗車車両抽出部５２１０は、携帯端末４の端末移動履歴が、車両３の当該トリップ情報における車両３の停止時、即ち、ＡＣＣ−ＯＦＦ時より以降の所定時間（例えば、１０分）以内で、目的地付近に滞在していたことを示しているか否かを判定する。これにより、乗車車両抽出部５２１０は、車両３が出発地及び目的地のそれぞれに駐車されていた時間帯において、携帯端末４が車両３の出発地及び目的地のそれぞれの付近に滞在していたと判断することができる。
【０１５２】
また、第二に、乗車車両抽出部５２１０は、車両３と同時刻に、出発地から目的地までの移動経路上の同じ位置に存在していたことを示す同期移動条件の成立の有無を判定する。より具体的には、乗車車両抽出部５２１０は、車両３のトリップ情報に含まれる出発地と目的地との間の車両移動情報（時刻情報及び位置情報）のデータ群と、当該データ群と同じ時間帯の携帯端末４の端末移動履歴に含まれる端末移動情報（時刻情報及び位置情報）のデータ群とを比較する。そして、乗車車両抽出部５２１０は、携帯端末４と車両３とが、同じ時刻において、同じ位置に存在したと判断可能な車両３の車両移動情報と携帯端末４の端末移動情報との間のマッチングが複数ある場合、同期移動条件が成立したと判定する。
【０１５３】
つまり、乗車車両抽出部５２１０は、複数の携帯端末４のそれぞれの端末移動履歴に対して、滞在実績条件及び同期移動条件の双方が成立する車両３のトリップ情報を探索することにより、携帯端末４のユーザが乗車した車両３を抽出できる。
【０１５４】
尚、乗車車両抽出部５２１０は、滞在実績条件を省略し、同期移動条件だけを利用して、携帯端末４のユーザの乗車実績がある車両３を抽出してもよい。また、乗車車両抽出部５２１０は、車両移動情報蓄積処理部５２０２及び端末移動情報蓄積処理部５２０９のそれぞれによる車両移動履歴ＤＢ５２００Ｃ及び端末移動履歴ＤＢ５２００Ｉの更新に合わせて、リアルタイムに上述した処理を実行してよい。また、乗車車両抽出部５２１０は、定期的に、ある程度溜まった未処理の車両移動履歴及び端末移動履歴に対して、上述した処理を実行してもよい。
【０１５５】
利用車両特定部５２１１は、複数の携帯端末４のそれぞれのユーザが利用する車両３を特定する。携帯端末４のユーザが利用する車両３とは、ドライバとして利用する車両３だけでなく、ドライバの同乗者として利用する車両３を含む。具体的には、利用車両特定部５２１１は、乗車車両抽出部５２１０により抽出される、複数の携帯端末４のそれぞれのユーザが乗車した、即ち、乗車実績のある車両３の中から、複数の携帯端末４のそれぞれのユーザが利用する車両３を特定する。利用車両特定部５２１１は、それぞれの携帯端末４、或いは、複数の携帯端末４のそれぞれのユーザと、特定した複数の携帯端末４のそれぞれのユーザが利用する車両３とを紐づけて、利用車両ＤＢ５２００Ｋに保存する。以下、利用車両ＤＢ５２００Ｋには、携帯端末４と、当該携帯端末４のユーザが利用する車両３とが紐づけられて保存される前提で説明を進める。また、この際、利用車両特定部５２１１は、特定した複数の携帯端末４のそれぞれのユーザが利用する車両３への乗車頻度（乗車回数）も併せて、利用車両ＤＢ５２００Ｋに保存する。即ち、利用車両特定部５２１１は、複数の携帯端末４のそれぞれと、複数の携帯端末４のそれぞれのユーザが利用する車両３との間を、関係性を表す乗車頻度（乗車回数）で紐づける態様の利用車両ＤＢ５２００Ｋを構築する。例えば、利用車両ＤＢ５２００Ｋは、それぞれの車両３、及びそれぞれの携帯端末４をノードとし、乗車頻度をリレーション情報とするグラフ型データベースとして構築されうる。
【０１５６】
上述の如く、乗車車両抽出部５２１０は、車両移動履歴ＤＢ５２００Ｃ及び端末移動履歴ＤＢ５２００Ｉの更新に応じて、リアルタイムに、或いは、定期的に、複数の車両３の何れかに乗車実績があるユーザの抽出処理を実行する。そのため、利用車両特定部５２１１は、乗車車両抽出部５２１０により逐次実行される抽出処理の結果に応じて、利用車両ＤＢ５２００Ｋを更新する。具体的には、利用車両特定部５２１１は、乗車車両抽出部５２１０によって、携帯端末４のユーザが今まで乗車実績のない車両３に乗車したとして、当該車両３が新たに抽出された場合、当該携帯端末４のユーザと、当該車両３とを紐づける態様で、利用車両ＤＢ５２００Ｋに保存する。また、利用車両特定部５２１１は、乗車車両抽出部５２１０によって、携帯端末４のユーザが既に乗車実績のある車両３に乗車したとして、新たに当該車両３が抽出された場合、利用車両ＤＢ５２００Ｋに保存されるリレーション情報としての乗車頻度を更新する。
【０１５７】
尚、利用車両ＤＢ５２００Ｋは、グラフ型データベースでなく、一般的なリレーショナルデータベースとして構築されてもよい。
【０１５８】
乗車中特定部５２１２は、利用車両ＤＢ５２００Ｋに保存される、複数の携帯端末４と複数の車両３との相互間の紐付き関係に基づき、携帯端末４のユーザが、当該携帯端末４のユーザが利用する車両３に現に乗車しているかを特定する。例えば、乗車中特定部５２１２は、複数の携帯端末４のそれぞれの現在の端末移動情報と、利用車両ＤＢ５２００Ｋで複数の携帯端末４のそれぞれと紐づけられる車両３の現在の車両移動情報とをリアルタイムに比較する。これにより、乗車中特定部５２１２は、利用車両ＤＢ５２００Ｋにおいて、携帯端末４のユーザが利用するとして、予め特定されている車両３の車両移動履歴だけをモニタリングすればよく、現実的な処理時間で、携帯端末４のユーザが車両３に乗車しているかを特定することができる。
【０１５９】
通過回数特定部５２０３は、それぞれのデジタルサイネージ装置７について、それぞれの携帯端末４のユーザが車両に乗車してデジタルサイネージ装置７の近傍を通過した全体の通過回数（全体通過回数）を算出する。例えば、通過回数特定部５２０３は、サイネージ情報ＤＢ５２００Ｅに登録されるそれぞれのデジタルサイネージ装置７の設置位置に関する情報と、端末移動履歴ＤＢ５２００Ｉに保存されるそれぞれの携帯端末４の端末移動履歴に基づき、全体通過回数を算出する。この際、通過回数特定部５２０３は、端末移動履歴ＤＢ５２００Ｉの端末移動履歴を構成するそれぞれの端末移動情報に含まれる車両移動中タグの有無に基づき、携帯端末４のユーザが車両に乗車していたか否かを判断することができる。通過回数特定部５２０３は、算出した全体通過回数を、対応する携帯端末４の識別情報（例えば、端末ＩＤ等）及びデジタルサイネージ装置７の識別情報と紐づけて、通過回数情報ＤＢ５２００Ｆに保存する。
【０１６０】
尚、それぞれの携帯端末４の識別情報は、それぞれの携帯端末４の各種情報が予め登録される端末情報ＤＢ５２００Ｊに保存されている。
【０１６１】
通過回数特定部５２０３は、あるデジタルサイネージ装置７及びある携帯端末４について、通過回数情報ＤＢ５２００Ｆに通過回数が登録されていない場合、一から通過回数を算出する。一方、通過回数特定部５２０３は、通過回数情報ＤＢ５２００Ｆに通過回数が登録されている場合、定期的に、未処理分の当該携帯端末４の端末移動履歴に対して、当該デジタルサイネージ装置７の近傍を通過した通過回数（追加分）を算出する。そして、通過回数特定部５２０３は、新たに算出したデジタルサイネージ装置７の近傍を通過した通過回数（追加分）を既に登録されている通過回数に加算することにより、通過回数情報ＤＢ５２００Ｆを更新する。
【０１６２】
視認頻度情報取得部５２０６は、対象車両検出部５２０５により検出された対象車両（車両３）に乗車している乗員のデジタルサイネージ装置７の視認頻度に関する情報（視認頻度情報）を取得する。本実施形態では、視認頻度情報取得部５２０６は、視認頻度情報として、対象車両に乗車している乗員が車両に乗車して当該デジタルサイネージ装置７の近傍を通過した全体の通過回数（全体通過回数）を通過回数情報ＤＢ５２００Ｆから取得する。
【０１６３】
具体的には、まず、乗車中特定部５２１２は、対象車両（車両３）のユーザとして利用車両ＤＢ５２００Ｋに保存される携帯端末４のユーザが当該対象車両に乗車中であるか否かを特定する。そして、乗車中特定部５２１２により当該携帯端末４のユーザが対象車両に乗車中であると特定されると、視認頻度情報取得部５２０６は、通過回数情報ＤＢ５２００Ｆから当該携帯端末４のユーザの全体通過回数を、対象車両の乗員の全体通過回数として取得する。
【０１６４】
また、利用車両ＤＢ５２００Ｋに対象車両のユーザとして複数の携帯端末４のユーザが保存されている場合があり得る。この場合、視認頻度情報取得部５２０６は、乗車中特定部５２１２により複数の携帯端末４のユーザが対象車両に乗車中であると特定されたときに、特定された複数の携帯端末４のユーザのそれぞれの全体通過回数を取得する。
【０１６５】
情報配信部５２０７は、視認頻度情報取得部５２０６により取得される、対象車両に乗車している乗員が車両に乗車してデジタルサイネージ近傍全体通過回数に基づき、デジタルサイネージ装置７に表示される広告情報の内容を変化させる。
【０１６６】
例えば、情報配信部５２０７は、あるデジタルサイネージ装置７について、対象車両に乗車している乗員の全体通過回数が相対的に少ない、具体的には、所定閾値より少ない場合、広告情報に含まれうる複数の個別情報のうち、基本情報と位置案内情報を当該デジタルサイネージ装置７に表示させる。一方、情報配信部５２０７は、対象車両に乗車している乗員の全体通過回数が相対的に多い、具体的には、所定閾値以上である場合、広告情報に含まれうる複数の個別情報のうち、基本情報と、最新情報、詳細情報、及び補足情報のうちの少なくとも一つを当該デジタルサイネージ装置７に表示させる。これにより、上述の実施形態と同様、デジタルサイネージ装置７の視認頻度が比較的高い乗員の飽きを抑制し、情報提供による効果を向上させることができる。
【０１６７】
尚、例えば、情報配信部５２０７は、対象車両に乗車している乗員が複数いる場合、それぞれの乗員の全体通過回数の平均値が相対的に多いか少ないかに基づき、広告情報の内容を変化させてよい。また、例えば、情報配信部５２０７は、それぞれの乗員のそれぞれの全体通過回数が相対的に多いか少ないかの判定を行い、全体通過回数が相対的に多いとする判定結果と、相対的に少ないとする判定結果の何れが多いかに基づき、広告情報の内容を変化させてもよい。
【０１６８】
［情報配信システムの動作の詳細］
次に、図１２を参照して、本実施形態に係る情報配信システム１の具体的な動作について説明する。
【０１６９】
図１２は、本実施形態に係るセンタサーバ５の処理装置５２による処理の一例を概略的に示すフローチャートである。
【０１７０】
ステップＳ１２０２にて、情報配信部５２０７は、利用車両ＤＢ５２００Ｋから、対象車両（車両３）を利用する携帯端末４のユーザを特定する。
【０１７１】
ステップＳ１２０４にて、乗車中特定部５２１２は、ステップＳ１２０２で特定されたユーザが対象車両に乗車中であるか否かを特定する。
【０１７２】
ステップＳ１２０６にて、情報配信部５２０７は、乗車中特定部５２１２により対象車両に当該ユーザが乗車中であると特定されたか否かを判定する。情報配信部５２０７は、乗車中特定部５２１２により当該ユーザが対象車両に乗車中であると特定された場合、ステップＳ１２０８に進み、当該ユーザが対象車両に乗車中でないと特定された場合、ステップＳ１２１２に進む。
【０１７３】
尚、本例では、対象車両を利用する携帯端末４のユーザが対象車両に乗車中でない場合（ステップＳ１２０６のＮｏ）、第１実施形態と同様、対象車両の全体通過回数を利用して、図５のステップＳ５０２〜Ｓ５０８の処理に移行してもよい。この場合、通過回数特定部５２０３は、それぞれのデジタルサイネージ装置７について、それぞれの携帯端末４のユーザが当該デジタルサイネージ装置７を通過した全体通過回数に加えて、第１実施形態と同様、それぞれの車両３が当該デジタルサイネージ装置７を通過した全体回数を算出し、通過回数情報ＤＢ５２００Ｆに保存する。
【０１７４】
ステップＳ１２０８にて、視認頻度情報取得部５２０６は、ステップＳ１２０２で特定された携帯端末４のユーザ（即ち、対象車両に乗車している乗員）が当該デジタルサイネージ装置７の近傍を通過した全体通過回数を、通過回数情報ＤＢ５２００Ｆから取得する。
【０１７５】
ステップＳ１２１０にて、情報配信部５２０７は、対象車両に乗車している当該携帯端末４のユーザが当該デジタルサイネージ装置７の近傍を通過した全体通過回数が所定閾値より少ないか否かを判定する。情報配信部５２０７は、当該全体通過回数が所定閾値より少ない場合、ステップＳ１２１２に進み、所定閾値以上である場合、ステップＳ１２１４に進む。
【０１７６】
ステップＳ１２１２，Ｓ１２１４は、第１実施形態（図５）のステップＳ５０６，Ｓ５０８と同じであるため、説明を省略する。
【０１７７】
［作用］
このように、本実施形態では、情報配信部５２０７は、対象車両の乗員がデジタルサイネージ装置７を視認する頻度に関する視認頻度情報に応じて、当該デジタルサイネージ装置７に表示させる情報の内容を変化させる。
【０１７８】
具体的には、端末移動情報蓄積処理部５２０９は、対象車両に乗車中の乗員を含むユーザが所持するそれぞれの携帯端末４から、位置情報を含む端末移動情報を収集し、端末移動履歴として、端末移動履歴ＤＢ５２００Ｉに保存する。また、視認頻度情報取得部５２０６は、視認頻度情報として、端末移動履歴に基づき算出される、対象車両に乗車している乗員（対象乗員）が車両に乗車してデジタルサイネージ装置７の近傍を通過した通過回数を取得する。そして、情報配信部５２０７は、視認頻度情報取得部５２０６により取得される通過回数に応じて、デジタルサイネージ装置７に表示させる情報の内容を変化させる。
【０１７９】
これにより、センタサーバ５は、デジタルサイネージ装置７の周辺で検出された対象車両に乗車している乗員が所持する携帯端末４の端末移動履歴に基づき算出される、当該乗員がデジタルサイネージ装置７の近傍を通過した通過回数を取得することができる。従って、第１実施形態と同様、センタサーバ５は、対象車両に乗車中の乗員がデジタルサイネージ装置７の近傍を通過した通過回数に基づき、具体的に、対象車両の乗員によるデジタルサイネージ装置７の視認頻度を考慮して、デジタルサイネージ装置７に表示される情報の内容を変化させることができる。
【０１８０】
尚、視認頻度情報として、第２実施形態と同様、対象車両に乗車中の対象乗員が車両に乗車して対象車両の近傍を通過した全体の通過回数のうちの、デジタルサイネージ装置７の内容を対象乗員が把握できる状況で、対象乗員の乗車していた車両がデジタルサイネージの近傍を通過した通過回数（視認可通過回数）が使用されてもよい。この場合、視認可否判定部５２０８は、それぞれの携帯端末４のユーザが車両に乗車してデジタルサイネージ装置７の近傍を通過したときに、デジタルサイネージ装置７の内容を当該ユーザが把握可能な状況であったか否かを判定する。具体的には、視認可否判定部５２０８は、通過回数特定部５２０３によって、あるデジタルサイネージ装置７及びある携帯端末４のユーザを対象として、当該ユーザが車両に乗車して当該デジタルサイネージ装置７の近傍を通過したと判断された各回について、当該可否判定を行う。
【０１８１】
また、視認頻度情報として、第３実施形態と同様、対象車両に乗車中の対象乗員の居住地情報が利用されてもよい。この場合、視認頻度情報取得部５２０６は、端末情報ＤＢ５２００Ｊに予め登録される、それぞれの携帯端末４のユーザの居住地情報の中から、対象乗員の居住地情報を取得してよい。そして、情報配信部５２０７は、第３実施形態と同様、対象乗員の居住地情報に応じて、デジタルサイネージ装置７に表示させる情報の内容を変化させてよい。
【０１８２】
＜第５実施形態＞
次いで、第５実施形態について説明する。
【０１８３】
本実施形態に係る情報配信システム１は、対象車両がデジタルサイネージ装置７に表示される広告情報に関連する場所を訪問した訪問履歴に関する情報（訪問履歴情報）に応じて、デジタルサイネージ装置７の情報の内容を変化させる点で、第１実施形態と異なる。具体的には、本実施形態に係る情報配信システム１は、センタサーバ５の処理装置５２において、訪問履歴特定部５２１３、訪問履歴情報取得部５２１４、及び訪問履歴ＤＢ５２００Ｌが追加される点で、第１実施形態と異なる。以下、第１実施形態の構成と同一或いは対応する構成には同一の符号を付し、異なる部分を中心に説明する。
【０１８４】
［情報配信システムの構成］
まず、図１３を参照して、本実施形態に係る情報配信システム１の構成について説明する。
【０１８５】
図１３は、本実施形態に係るセンタサーバ５の機能的な構成の一例を概略的に示す機能ブロック図である。
【０１８６】
尚、本実施形態に係る情報配信システム１の全体構成、及び本実施形態に係る車両３の機能的な構成は、第１実施形態と同様、図１及び図２で表される。
【０１８７】
センタサーバ５は、第１実施形態と同様、通信機器５１と、処理装置５２を含む。
【０１８８】
処理装置５２は、ＲＯＭや補助記憶装置に格納される一以上のプログラムをＣＰＵ上で実行することにより実現される機能部として、通信処理部５２０１と、車両移動情報蓄積処理部５２０２と、通過回数特定部５２０３と、対象サイネージ情報取得部５２０４と、対象車両検出部５２０５と、視認頻度情報取得部５２０６と、情報配信部５２０７を含む。また、処理装置５２は、例えば、サーバコンピュータの補助記憶装置やサーバコンピュータに接続される外部記憶装置に規定される記憶領域としての記憶部５２０を含む。記憶部５２００には、地図情報ＤＢ５２００Ａと、プローブ情報ＤＢ５２００Ｂと、車両移動履歴ＤＢ５２００Ｃと、車両情報ＤＢ５２００Ｄと、サイネージ情報ＤＢ５２００Ｅと、通過回数情報ＤＢ５２００Ｆと、広告ＤＢ５２００Ｇと、訪問履歴ＤＢ５２００Ｌが格納される。
【０１８９】
訪問履歴特定部５２１３は、広告ＤＢ５２００Ｇに保存される、複数のデジタルサイネージ装置７の何れかに表示される広告情報について、複数の車両３のそれぞれが当該広告情報の広告対象に関連する場所を訪問したことがあるか否かを特定する。広告情報の広告対象に関連する場所とは、具体的には、広告対象の商品を販売する、或いは、サービスを提供する店舗、広告対象の店舗、施設等である。訪問履歴特定部５２１３は、地図情報ＤＢ５２００Ａ及び車両移動履歴ＤＢ５２００Ｃに基づき、複数の車両３のそれぞれが広告対象に関連する場所に訪問したことがあるか否かを特定する。また、訪問履歴特定部５２１３は、複数の車両３のそれぞれが広告対象に関連する場所に訪問したことがある場合、その訪問回数を特定（カウント）する。訪問履歴特定部５２１３は、広告対象に関連する場所への訪問履歴の有無、及び訪問回数を含む訪問履歴情報を、対応する車両３の識別情報及び広告情報の識別情報（例えば、広告ＩＤ）と紐づけて、訪問履歴ＤＢ５２００Ｌに保存する。
【０１９０】
尚、上述の如く、車両移動履歴ＤＢ５２００Ｃは、適宜更新されるため、訪問履歴特定部５２１３による当該処理は、車両移動履歴ＤＢ５２００Ｃの更新に合わせて、実行されてよい。また、訪問履歴特定部５２１３による当該処理は、定期的に、未処理分の車両移動履歴ＤＢ５２００Ｃに対して実行されてもよい。
【０１９１】
訪問履歴情報取得部５２１４は、対象車両検出部５２０５により検出された対象車両がデジタルサイネージ装置７に表示される広告情報の広告対象に関連する場所を訪問したことがあるか否かに関する訪問履歴情報を、訪問履歴ＤＢ５２００Ｌから取得する。
【０１９２】
情報配信部５２０７は、訪問履歴情報取得部５２１４により取得される対象車両の訪問履歴情報に応じて、デジタルサイネージ装置７に表示される情報の内容を変化させる。
【０１９３】
例えば、情報配信部５２０７は、訪問履歴情報により対象車両がデジタルサイネージ装置７に表示される広告情報の広告対象に関連する場所に訪問したことがない旨が示される場合、広告対象に関連する基本情報と位置案内情報をデジタルサイネージ装置７に表示させる。これにより、広告対象に関連する場所に訪問したことがない可能性が高い対象車両の乗員に対して、広告対象を知ってもらうための入口となる情報である基本情報や位置案内情報等を提供することができる。一方、情報配信部５２０７は、訪問履歴情報により対象車両がデジタルサイネージ装置７に表示される広告情報の広告対象に関連する場所に訪問したことがある旨が示される場合、広告対象に関連する基本情報と、詳細情報、補足情報、及び最新情報のうちの少なくとも一つをデジタルサイネージ装置７に表示させる。これにより、広告対象に関連する場所に訪問したことがある可能性が高い対象車両の乗員の飽きを抑制し、デジタルサイネージ装置７による情報提供の効果を向上させることができる。
【０１９４】
［情報配信システムの動作の詳細］
次に、図１４を参照して、本実施形態に係る情報配信システム１の具体的な動作について説明する。
【０１９５】
図１４は、本実施形態に係る情報配信システム１による処理の一例を概略的に示すフローチャートを示す図である。
【０１９６】
ステップＳ１４０２，Ｓ１４０４は、第１実施形態（図５）のステップＳ５０２，Ｓ５０４と同じであるため、説明を省略する。
【０１９７】
対象車両のデジタルサイネージ装置７に関する全体通過回数が所定以下である場合（ステップＳ１４０４のＹｅｓ）、ステップＳ１４０６にて、訪問履歴情報取得部５２１４は、訪問履歴ＤＢ５２００Ｌから当該デジタルサイネージ装置７に表示される広告情報の広告対象に関連する場所に対する対象車両の訪問履歴情報を取得する。
【０１９８】
ステップＳ１４０８にて、情報配信部５２０７は、取得された訪問履歴情報に基づき、対象車両が広告対象に関連する場所に訪問したことがあるか否かを判定する。情報配信部５２０７は、対象車両が広告対象に関連する場所に訪問したことがない場合、ステップＳ１４１０に進み、訪問したことがある場合、ステップＳ１４１２に進む。
【０１９９】
ステップＳ１４１０，Ｓ１４１２は、第１実施形態（図５）のステップＳ５０６，Ｓ５０８と同じであるため、説明を省略する。
【０２００】
尚、本例では、情報配信部５２０７は、対象車両が広告対象に関連する場所に訪問した訪問回数に応じて、デジタルサイネージ装置７に表示させる情報の内容を変化させてもよい。即ち、訪問履歴情報取得部５２０６は、訪問履歴情報として、訪問履歴ＤＢ５２００Ｌから対象車両が広告対象に関連する場所に訪問した訪問回数に関する情報を取得してもよい。例えば、情報配信部５２０７は、当該訪問回数が相対的に多い場合と、相対的に少ない場合とで、デジタルサイネージ装置７に表示させる情報の内容を異ならせてよい。具体的には、ステップＳ１４０８にて、情報配信部５２０７は、上記処理の代わりに、対象車両が広告対象に関連する場所に訪問した訪問回数が所定回数以下であるか否かを判定する処理を行ってよい。そして、情報配信部５２０７は、当該訪問回数が所定回数以下である場合、ステップＳ１４１０に進み、所定回数を超えている場合、ステップＳ１４１２に進む処理を行ってよい。
【０２０１】
また、本例では、視認頻度情報として、第２実施形態と同様、対象車両の全体通過回数の代わりに、視認可通過回数が利用されてもよい。また、視認頻度情報として、第４実施形態と同様、対象車両の全体通過回数の代わりに、対象車両に乗車中の乗員の全体通過回数或いは視認可通過回数が利用されてもよい。
【０２０２】
また、本例では、情報配信部５２０７は、視認頻度情報と訪問履歴情報の双方に応じて、デジタルサイネージ装置７に表示される内容を変化させるが、訪問履歴情報だけに応じて、デジタルサイネージ装置７に表示される内容を変化させてもよい。この場合、ステップＳ１４０２，Ｓ１４０４が省略される。
【０２０３】
［作用］
このように、本実施形態では、車両移動情報蓄積処理部５２０２は、対象車両含む複数の車両３から、位置情報を含む車両移動情報を収集し、車両移動履歴（トリップ情報）として、車両移動履歴ＤＢ５２００Ｃに保存する。また、訪問履歴情報取得部５２１４は、訪問履歴特定部５２１３により車両移動履歴に基づき生成される、対象車両がデジタルサイネージ装置７に表示される情報の所定の対象に関連する場所を訪問した訪問履歴に関する訪問履歴情報を取得する。そして、情報配信部５２０７は、訪問履歴情報に基づき、デジタルサイネージ装置７に表示させる情報の内容を変化させる。
【０２０４】
これにより、センタサーバ５は、対象車両がデジタルサイネージ装置７に表示される情報の所定の対象に関連する場所、例えば、広告情報の対象の商品が販売される店舗や広告情報の対象施設等への訪問履歴を考慮して、デジタルサイネージ装置７に表示させる内容を変化させることができる。従って、センタサーバ５は、例えば、対象車両が広告情報の対象店舗を訪問したことがない場合、対象店舗を知ってもらうためにブランド名等の基本情報や位置案内情報等の入口となる情報をデジタルサイネージ装置７に表示させることができる。一方、センタサーバ５は、対象車両が広告情報の対象店舗に訪問済みである場合、更に興味を持ってもらうために、入荷情報等の付加情報をデジタルサイネージ装置７に表示させることができる。そのため、デジタルサイネージ装置７の近傍を通過する車両の乗員の飽きを抑制し、デジタルサイネージ装置７による情報提供の効果を更に向上させることができる。
【０２０５】
また、本実施形態では、訪問履歴情報取得部５２１４は、訪問履歴情報として、対象車両がデジタルサイネージ装置７に表示される情報の所定の対象に関連する場所を訪問したことがあるか否かに関する情報を取得する。そして、情報配信部５２０７は、訪問履歴情報により対象車両が当該場所を訪問したことがない旨が示される場合、所定の対象に関連する基本情報と当該場所の位置案内情報とをデジタルサイネージ装置７に表示させる。一方、情報配信部５２０７は、訪問履歴情報により対象車両が当該場所を訪問したことがある旨が示される場合、基本情報と、所定の対象に関連する詳細情報、補足情報、及び最新情報のうちの少なくとも一つとをデジタルサイネージ装置７に表示させる。
【０２０６】
これにより、センタサーバ５は、所定の対象に関連する場所に訪問したことがない乗員に対して、情報の対象と当該対象に関連する場所等の当該対象に関連する入口となる情報を知ってもらうことができる。一方、センタサーバ５は、所定の対象に関連する場所に訪問済の乗員に対して、基本情報の他、位置案内情報の代わりに、詳細情報、補足情報、最新情報等を提供し、具体的に、当該乗員の飽きを抑制し、デジタルサイネージ装置７による情報提供の効果を向上させることができる。
【０２０７】
尚、本実施形態において、センタサーバ５は、同じ広告対象に関する広告情報を構成する個別情報の組み合わせを変化させる代わりに、広告対象が異なる複数の広告情報の中から異なる広告情報を選択することによりデジタルサイネージ装置７に表示される情報の内容を変更してもよい。この場合、情報配信部５２０７は、予め規定される複数の候補情報のうち、訪問履歴情報により対象車両が訪問したことがない旨が示される場所に関連する候補情報をデジタルサイネージ装置７に表示させてよい。また、情報配信部５２０７は、訪問履歴情報により対象車両が訪問したことがない旨が示される場所に関連する候補情報が２以上ある場合、その中で、複数の候補情報のそれぞれに対して予め規定される優先度が最も高い候補情報をデジタルサイネージ装置７に表示させてよい。
【０２０８】
これにより、センタサーバ５は、複数の候補情報のうち、対象車両による訪問履歴がない場所に関連する候補情報、即ち、対象車両の乗員が知らない可能性が高い候補情報をデジタルサイネージ装置７に表示させることができる。また、予め複数の候補情報のそれぞれに対して適宜優先度を規定しておくことにより、優先度が高い候補情報が優先的にデジタルサイネージ装置７に表示されるようにすることができる。
【０２０９】
また、本実施形態において、対象車両の訪問履歴情報の代わりに、対象車両に乗車している乗員（対象乗員）がデジタルサイネージ装置７に表示される情報に関連する場所に訪問した訪問履歴に関する訪問履歴情報が使用されてもよい。この場合、例えば、センタサーバ５は、第４実施形態の端末移動情報蓄積処理部５２０９と同様、対象車両に乗車中の乗員を含むユーザが所持するそれぞれの携帯端末４から、位置情報を含む端末移動情報を収集し、端末移動履歴として記憶部５２０に保存してよい。また、訪問履歴特定部５２１３は、端末移動履歴に基づき、複数のデジタルサイネージ装置７の何れかに表示される広告情報について、それぞれの携帯端末４のユーザが当該広告情報の広告対象に関連する場所を訪問したことがあるか否かを特定してよい。また、訪問履歴特定部５２１３は、それぞれの携帯端末４のユーザが広告対象に関連する場所に訪問したことがある場合、その訪問回数を特定（カウント）してよい。そして、訪問履歴特定部５２１３は、広告対象に関連する場所への訪問履歴の有無、及び訪問回数を含む訪問履歴情報を、対応する携帯端末４の識別情報及び広告情報の識別情報（例えば、広告ＩＤ）と紐づけて、訪問履歴ＤＢ５２００Ｌに保存してよい。
【０２１０】
以上、本発明を実施するための形態について詳述したが、本発明はかかる特定の実施形態に限定されるものではなく、特許請求の範囲に記載された本発明の要旨の範囲内において、種々の変形・変更が可能である。
【０２１１】
例えば、上述した実施形態では、デジタルサイネージ装置７に表示される情報は、二つの表示パターンの中で段階的に変化するが、三つ以上の表示パターンの中で段階的に変化する態様であってもよい。
【０２１２】
また、上述した実施形態において、対象車両検出部５２０５、視認頻度情報取得部５２０６、訪問履歴情報取得部５２１４の機能、並びに、情報配信部５２０７のデジタルサイネージ装置７に表示される内容を変化させる部分に対応する機能の一部又は全部は、デジタルサイネージ装置７に設けられてもよい。この場合、デジタルサイネージ装置７（視認頻度情報取得部５２０６及び訪問履歴情報取得部５２１４）は、センタサーバ５に問い合わせを行うことにより、視認頻度情報や訪問履歴情報等を取得することができる。
【０２１３】
また、上述した実施形態において、デジタルサイネージ装置７には、広告情報が表示されるが、広告情報以外の任意の情報が表示されてよい。例えば、デジタルサイネージ装置７には、当該デジタルサイネージ装置７が設置されるエリアの公的なイベント等に関する情報等の任意の情報が表示されてもよい。この場合についても、上述した実施形態と同様に、デジタルサイネージ装置７に表示される情報の内容を変化させることにより、同様の作用・効果を奏する。
【符号の説明】
【０２１４】
１  情報配信システム    
３  車両
４  携帯端末
５  センタサーバ（デジタルサイネージ制御装置）
７  デジタルサイネージ装置
３１  ＤＣＭ
３２  ＥＣＵ
３３  ＧＰＳモジュール
３４  ＡＣＣスイッチ
３５  車速センサ
４１  通信機器
４２  処理装置
４３  ＧＰＳモジュール
４４  加速度センサ
４５  タッチパネルディスプレイ
５１  通信機器
５２  処理装置（コンピュータ）
３２１  車両情報取得部
３２２  マップマッチング部
３２３  プローブ情報送信部
４２１  通信処理部
４２２  センサ情報取得部
４２３  移動手段判定部
４２４  端末移動情報送信部
５２００  記憶部
５２００Ａ  地図情報ＤＢ
５２００Ｂ  プローブ情報ＤＢ
５２００Ｄ  車両情報ＤＢ
５２００Ｅ  サイネージ情報ＤＢ
５２００Ｆ  通過回数情報ＤＢ
５２００Ｇ  広告ＤＢ
５２００Ｈ  気象情報ＤＢ
５２００Ｉ  端末移動履歴ＤＢ
５２００Ｊ  端末情報ＤＢ
５２００Ｋ  利用車両ＤＢ
５２００Ｌ  訪問履歴ＤＢ
５２０１  通信処理部
５２０２  車両移動情報蓄積処理部（移動履歴情報収集部）
５２０３  通過回数特定部
５２０４  対象サイネージ情報取得部
５２０５  対象車両検出部
５２０６  視認頻度情報取得部
５２０７  情報配信部（表示制御部）
５２０８  視認可否判定部
５２０９  端末移動情報蓄積処理部（移動履歴情報収集部）
５２１０  乗車車両抽出部
５２１１  利用車両特定部
５２１２  乗車中特定部
５２１３  訪問履歴特定部
５２１４  訪問履歴情報取得部
【図１】
2019035615.tif 000003
【図２】
2019035615.tif 000004
【図３】
2019035615.tif 000005
【図４】
2019035615.tif 000006
【図５】
2019035615.tif 000007
【図６】
2019035615.tif 000008
【図７】
2019035615.tif 000009
【図８】
2019035615.tif 000010
【図９】
2019035615.tif 000011
【図１０】
2019035615.tif 000012
【図１１】
2019035615.tif 000013
【図１２】
2019035615.tif 000014
【図１３】
2019035615.tif 000015
【図１４】
2019035615.tif 000016